【事件の表示】
　特許第３１８５０３９号「遊技機」の請求項１に係る特許に対する特許異議の申立てについて、次のとおり決定する。
【結　論】
　訂正を認める。
　特許第３１８５０３９号の請求項１に係る特許を維持する。
【理　由】
１．手続の経緯
　本件特許第３１８５０３９号の請求項１に係る発明についての出願は、平成４年９月１４日に特許出願され、平成１３年５月１１日にその発明について特許権の設定登録がなされ、その後、本件請求項１に係る発明の特許に対し、平成１３年１２月２１日に根本淳子より特許異議の申立てがなされ、取消しの理由を通知したところ、平成１４年７月４日に訂正請求がなされ、この訂正請求について異議申立人に意見を求めたが応答はなされていない。
　
２．訂正請求について
２-1．訂正の内容
　特許権者が求めている訂正の内容は、次のとおりである（下線部分が訂正個所である）。
（１）訂正事項ａ
　特許明細書の特許請求の範囲（本件特許公報１頁下段左欄２〜１５行）に記載された「遊技者にとって不利な第１状態と遊技者にとって有利な第２状態とに変換可能な変動入賞装置と、
　予め定めた特別権利状態発生条件が達成されることに基づいて特別権利状態を発生させ、この特別権利状態中に予め定めた特定入賞口へ球が入賞することを必要条件として上記変動入賞装置を所定条件が達成されるまで第１状態から第２状態に変換制御し、特別権利状態中における特定入賞口への入賞球が所定数に達する事および特別権利状態中に特別権利状態発生条件が達成される事を特別権利状態消滅条件とし、該特別権利状態消滅条件が達成されることに基づいて特別権利状態を消滅させる遊技制御手段と、
　を備える遊技機において、」を、
　「遊技者にとって不利な第１状態と遊技者にとって有利な第２状態とに変換可能な変動入賞装置と、
　
分別装置に設けられた特別入賞球出口から排出された特別入賞球を特別入賞球検出器が検出することによって、
き、前記分別装置が回転体の位置に応じて異なる回転動作をする
　を備える遊技機
であっ
（２）訂正事項ｂ
　特許明細書の段落【０００４】（同公報２頁右欄４７行〜３頁左欄１０行）に記載された「遊技者にとって不利な第１状態と遊技者にとって有利な第２状態とに変換可能な変動入賞装置（８）と、予め定めた特別権利状態発生条件が達成されることに基づいて特別権利状態を発生させ、この特別権利状態中に予め定めた特定入賞口（１３）へ球が入賞することを必要条件として上記変動入賞装置を所定条件が達成されるまで第１状態から第２状態に変換制御し、特別権利状態中における特定入賞口への入賞球が所定数に達する事および特別権利状態中に特別権利状態発生条件が達成される事を特別権利状態消滅条件とし、該特別権利状態消滅条件が達成されることに基づいて特別権利状態を消滅させる遊技制御手段（例えば、電気的制御装置３３）と、を備える遊技機（１）において、」を、
　「遊技者にとって不利な第１状態と遊技者にとって有利な第２状態とに変換可能な変動入賞装置（８）と、
分別装置に設けられた特別入賞球出口から排出された特別入賞球を特別入賞球検出器が検出することによって、
き、前記分別装置が回転体の位置に応じて異なる回転動作をする
であっ
（３）訂正事項ｃ
　特許明細書の段落【０００５】（同公報３頁左欄３２〜３３行）に記載された「最長時間よりも長い周期）となる。」を、
　「最長時間よりも長い周期）となる。
　
また、分別装置に設けられた特別入賞球出口から排出された特別入賞球を特別入賞球検出器が検出することによって、特別権利状態発生条件が達成されることに基づき、前記分別装置が回転体の位置に応じて異なる回転動作をする特別権利状態を発生させるので、所謂パンク状態の発生確率を低減させる。
（４）訂正事項ｄ
　特許明細書の段落【０１３８】（同公報１８頁左欄９〜１１行）に記載された「無駄打ちによって獲得利益が失われることを効果的に防止できる。」を、
　「無駄打ちによって獲得利益が失われることを効果的に防止できる。
　
特に、分別装置に設けられた特別入賞球出口から排出された特別入賞球を特別入賞球検出器が検出することによって、特別権利状態発生条件が達成されることに基づき、前記分別装置が回転体の位置に応じて異なる回転動作をする特別権利状態を発生させるので、特別遊技の権利が消滅し、特別遊技はその時点で終了する（所謂パンク状態）の発生確率を低減させることができ、特別権利状態における遊技者の獲得利益をある程度補償できるようになる。
　
２-2．訂正の適否
（１）訂正事項ａについて
　上記訂正事項ａは、特許明細書の特許請求の範囲に記載された「特別権利状態発生条件」が「分別装置に設けられた特別入賞球出口から排出された特別入賞球を特別入賞球検出器が検出することによって、特別権利状態発生条件が達成される」ものに限定するとともに、特許明細書の特許請求の範囲に記載された「特別権利状態」を、「前記分別装置が回転体の位置に応じて異なる回転動作をする特別権利状態」と具体的な構成に限定する訂正であるから、特許請求の範囲の減縮を目的とするものである。
　そして、「分別装置に設けられた特別入賞球出口から排出された特別入賞球を特別入賞球検出器が検出することによって、特別権利状態発生条件が達成される」構成は、特許明細書の段落【００４４】に「特別入賞受口９９に受け入れられた入賞球は、・・・特別入賞受口９９内に位置したまま更に移動して特別入賞球出口７２へ到達する。そして、この入賞球は特別入賞受口９９に対応するように開設した特別入賞球出口７２から排出され、特別入賞球検出器１０４によって検出されることで、特別入賞球として処理されるのである。」と記載されており、また、「前記分別装置が回転体の位置に応じて異なる回転動作をする特別権利状態」の構成は、特許明細書の段落【００９７】に「特別装置が作動している状態、すなわち上記の権利発生中信号・・・が回転体停止制御手段に出力されている場合には、回転体停止制御手段は、回転体８６の位置に応じて分別装置９のモータに異なる動作をさせるように制御信号を送って制御する。」と記載されている。
（２）上記訂正事項ｂないしｄについて
　訂正事項ｂないしｄは、発明の詳細な説明の記載を訂正後の特許請求の範囲の記載と整合させるように訂正しようとするものであるから、明りょうでない記載の釈明を目的とするものである。
　そして、訂正事項ｃ及びｄの「所謂パンク状態の発生確率を低減させる。」ことは、特許明細書の段落【００９９】に「しかし、回転体８６が、図１３に示すような状態にある場合、すなわち、特別入賞受口９９が遊技球待機部８８ａに到達する直前の状態である場合、このまま遊技球を拾うと遊技球は特別入賞球出口７２に分別され、いわゆるパンクを起こしてしまうが、停止等すると、その（パンクする）確率がさらに高まってしまうので、このまま可及的速やかに回転体８６の回転を続行させ、パンクの確率をなるべく低減するようにモータを制御する。このようにに構成することにより、特別装置の非作動中は１２秒間で１回転している回転体８６において、特別入賞球出口７２に入賞する確率は１／３であるのに対し、特別装置の作動中は、上記の停止時間６秒間が加わるから１８秒間で１回転することになり、特別装置作動中に特別入賞球出口７２に入賞する確率（パンクする確率でもある）は、１／６に低下し、いわゆるパンクの発生確率を低減させることができる。」と記載されている。
　さらに、訂正事項ｄの「特別遊技の権利が消滅し、特別遊技はその時点で終了する」は、特許明細書の段落【００７０】に「なお、上記した特別遊技中に、ゲート通過球検出器１２がゲート通過球を検出することに基づいて発するゲート通過球検出信号によって可変表示装置６が作動し、これにより賞態様が形成され、第２状態に変換された補助変動入賞装置１０に入賞した球が特別入賞球に分別され、該特別入賞球を検出することに基づいて特別入賞球検出器１０４より特別入賞球検出信号が出力されると、特別遊技の権利が消滅し、特別遊技はその時点で終了（所謂パンク状態）となる。」と記載されている。
　したがって、訂正事項ａないしｄによる訂正は、願書に添付した明細書又は図面に記載した事項の範囲内においてするものであって新規事項を追加するものでなく、かつ、実質上特許請求の範囲を拡張し、又は変更するものではない。
２-3．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正請求を認める。
　
３．特許異議の申立てについて
３-1．異議申立て理由の概要
　本件請求項１に係る発明は、その出願の日前の出願であって、その出願後に出願公開（特開平６−１５０４１号公報（甲第１号証））された特願平４−１９７７４６号の願書に最初に添付した明細書又は図面に記載された発明と同一であると認められるから、特許法第２９条の２の規定に違反して特許されたものであり、
　また、本件請求項１に係る発明は、下記の甲第２ないし４号証に記載された発明に基づいて当業者が容易に発明をすることができたものであるから、特許法第２９条第２項の規定に違反して特許されたものである。
　　　　　　　　　　　　　　　　記
　甲第１号証：特開平６−１５０４１号公報（特願平４−１９７７４６号の公開公報）
　甲第２号証：特開平４−２４４１７９号公報
　甲第３号証：特開平４−９２６８９号公報
　甲第４号証：特開平４−１９３１９０号公報
３-2．本件特許発明
　上記２．で示したように上記訂正が認められるから、本件請求項１に係る発明（以下、「本件発明」という）は、訂正後の特許明細書における特許請求の範囲の請求項１に記載されたとおりの、
　「遊技者にとって不利な第１状態と遊技者にとって有利な第２状態とに変換可能な変動入賞装置と、
　分別装置に設けられた特別入賞球出口から排出された特別入賞球を特別入賞球検出器が検出することによって、特別権利状態発生条件が達成されることに基づき、前記分別装置が回転体の位置に応じて異なる回転動作をする特別権利状態を発生させ、この特別権利状態中に予め定めた特定入賞口へ球が入賞することを必要条件として上記変動入賞装置を所定条件が達成されるまで第１状態から第２状態に変換制御し、特別権利状態中における特定入賞口への入賞球が所定数に達する事および特別権利状態中に特別権利状態発生条件が達成される事を特別権利状態消滅条件とし、該特別権利状態消滅条件が達成されることに基づいて特別権利状態を消滅させる遊技制御手段と、
　を備える遊技機であって、
　上記特定入賞口から入賞球を受け入れて特定入賞球検出器へ誘導する特定入賞手段は、特定入賞口から入賞球を受け入れ可能となるまでに要する時間である遊技球受入周期を変更可能な遊技球受入機構を含んで構成し、
　上記遊技制御手段により、特別権利状態でない間は、遊技球受入機構の遊技球受入周期を予め定めた規定周期となし、特別権利状態中は、遊技球受入機構の遊技球受入周期を規定周期よりも短く且つ特別権利状態中に第１状態から第２状態に変換された変動入賞装置が再び第１状態に変換される最長時間よりも長い特別周期とするように、特定入賞手段の遊技球受入機構を制御するようにしたことを特徴とする遊技機。」である。
３-3．特許法第２９条の２違反について
（１）先願明細書等記載の発明
　本件出願の日前の出願であって、その出願後に出願公開された特願平４−１９７７４６号の願書に最初に添付した明細書又は図面（以下、「先願明細書等」という）には、次の事項が記載されている。
（１-a）「可変表示装置４０は、複数（３つ）の可変表示器４４ａ〜４４ｃを含み、可変表示器４４ａ〜４４ｃの表示結果が予め定めた特定表示結果となったことに基づいて次に説明する振分入賞装置４によって入賞玉が特別入賞領域８に誘導されて特別玉検出器９をＯＮさせたときに、・・・権利発生遊技状態を生起せしめるようになっている。なお、可変表示装置４０の構成については、後に詳述する。」（甲第１号証（特開平６−１５０４１号公報）２頁右欄３１〜３９行）、
（１-b）「振分入賞装置４の左右には、始動入賞玉検出器１５ａ，１５ｂを内蔵する始動入賞口１４ａ，１４ｂが設けられている。そして、左側の始動入賞口１４ｂの上方には、図示しないモータ１６ａ（ただし、図５のブロック図に表示）によって回転し得る回転体１６（以下、回転体Ａと表示する場合もある）が配置されている。この回転体１６は、凹部１８を有し、該凹部１８に上方に形成された入球口１７から打玉を受け入れ、半回転したときに下方に形成された排出口１９から打玉を下方に向けて落下して始動入賞口１４ｂに導くものである。・・・
【０００９】　しかして、上記した権利発生遊技状態中に打玉が始動入賞口１４ａ，１４ｂに入賞して始動入賞玉検出器１５ａ，１５ｂをＯＮさせると、次に説明する可変入賞球装置２０が一定時間（例えば、９．５秒）が経過するまで、又はその一定時間が経過するまでの間に所定個数（例えば、１０個）の入賞玉が発生するまで開放する。」（同号証３頁左欄１７〜４０行）
（１-c）「可変入賞球装置２０は、ソレノイド２２によって左右に開閉される一対の開閉部材２１を有し、その開閉部材２１の開放中に受け入れられた入賞玉を検出する入賞玉検出器２３が内蔵されている。」（同号証３頁右欄１０〜１３行）、
（１-d）「権利発生遊技状態が継続しているときに、打玉が始動入賞口１４ａ，１４ｂに入賞して始動入賞玉検出器１５ａ，１５ｂをＯＮさせると、可変入賞球装置２０が上述した開放動作を行う。そして、そのような開放動作は、権利発生遊技状態が継続している限り、打玉が始動入賞口１４ａ，１４ｂに入賞する毎に繰り返される。ただし、権利発生遊技状態の継続は、権利発生遊技状態中に再度可変表示器４４ａ〜４４ｃの表示結果が予め定められた表示結果となって打玉が特別入賞領域８に誘導され特別入賞玉検出器９をＯＮさせたとき、又は、始動入賞口１４ａ，１４ｂに所定個数（例えば、１６個）の打玉が入賞したときに終了するようになっている。」（同号証３頁右欄２５〜３７行）、
（１-e）「電源が投入されると、回転体１６は、相対的に長い所定の周期（例えば、６０．０００秒）で回転を継続する。ところが、図１５に示すように、権利発生遊技状態となったとき（所定条件と表示）には、回転体１６が相対的に短い所定の周期（例えば、１０．０００秒）で回転が継続し、この状態は、図示しないが権利発生遊技状態が継続している間保持される。」（同号証５頁右欄４０〜４６行）と記載されている。
（２）対比・判断
　本件発明と先願明細書等に記載の発明とを対比すると、先願明細書等に記載の発明の「可変入賞球装置２０」が本件発明の「変動入賞装置」に相当し、同様に、「振分入賞装置４」が「分別装置」に、「始動入賞口１４ａ，１４ｂ」が「特定入賞口」に、「回転体１６」が「遊技球受入機構」に相当しており、先願明細書等に記載された発明は、本件発明の「分別装置に設けられた特別入賞球出口から排出された特別入賞球を特別入賞球検出器が検出することによって、特別権利状態発生条件が達成されることに基づき、前記分別装置が回転体の位置に応じて異なる回転動作をする特別権利状態を発生させ」る構成を備えていない。
　そして、前記構成は周知技術とはいえないから、本件発明が先願明細書等に記載された発明と同一であるとすることはできない。
　
３-4．特許法第２９条第２項違反について
３-4-1．甲号証記載の発明
（１）甲第２号証（特開平４−２４４１７９号公報）
（１-a）「【請求項１】 遊技盤に設けられ且つ特別装置作動領域を含む複数の通過領域が形成された特別入賞装置と、該特別入賞装置に誘導された打球が前記特別装置作動領域を通過したときに作動開始すると共に再度特別装置作動領域を打球が通過したとき又は前記遊技盤に設けられる始動入賞口に所定個数の打球が入賞したときに作動終了する特別装置と、該特別装置の作動中に前記始動入賞口に打球が入賞する毎に所定の態様で開放駆動される変動入賞装置と、を備えたパチンコ機において、前記始動入賞口には、前記変動入賞装置に許容された開放時間よりも長い時間周期で打球を受け入れることが可能な打球受入機構を内蔵したことを特徴とするパチンコ機。」（特許請求の範囲）
（１-b）「特別入賞装置４は、特別装置作動領域５を含む複数の通過領域５，６ａ，６ｂを有し、・・・中央の特別装置作動領域５を打球が通過することによって、・・・特別入賞玉検出スイッチをＯＮさせる。特別入賞玉検出スイッチのＯＮ信号は、権利発生状態の発生と消滅とを検出する信号として利用される。」（２頁右欄４３行〜３頁左欄４行）
（１-c）「前記ゲート通過口９の左右には、始動口１３、３０が設けられている。この始動入賞口１３、３０は、前記したように特別装置の作動中において打球が入賞したことに基づいて一方の始動入賞口３０の下方に配置される変動入賞装置１４のアタッカー開閉板１５を開放するものである。」（３頁右欄１９〜２４行）
（１-d）「更に、特別装置の作動中に始動入賞口１３、３０に入賞した玉数を前記特別入賞装置４に設けられる始動入賞個数表示器７で表示するようになっている。・・・また、始動入賞個数表示器７に表示される数値が「１６」となった時点で特別装置の作動が終了する。」（３頁右欄３６〜４３行）、
（１-e）「始動入賞口３０は、・・・前記遊技盤１の表面に取り付けられる取付基板３１と、該取付基板３１の前面に回転自在に設けられる回転体３２と、取付基板３１の後面に取付けられ且つ前記回転体３２を駆動するモータ５０が取着される駆動源取付板３３とから構成される。
【００１５】前記取付基板３１の前面上部には、ほぼ円形の囲枠３４が突設され、該囲枠３４内に回転体３２が収納されるようになっている。そして、囲枠３４の上部には、打球を受け入れるための侵入口３５が開設され、一方、回転体３２には、打球を１個受け入れる大きさの受入凹部３６が形成されている。しかして、電源投入後常時回転している回転体３２の受入凹部３６が侵入口３５と合致したときに侵入口３５から侵入する打球を受入凹部３６に受け入れ、取付基板３１の後方へ誘導するようにしている。」（４頁左欄３３〜４９行）、
（１-f）「本実施例の場合には、前記アタッカー開閉板１５の開放時間Ｔ１（９．５秒）よりも長い時間（例えば、１０秒）をかけて回転体３２が１回転するようにモータ５０の回転速度や駆動歯車５１及び従動歯車５２の歯数が設定されている。」（５頁左欄１５〜１９行）と記載されている。
　上記記載によると、甲第２号証には、遊技者にとって不利な第１状態と遊技者にとって有利な第２状態とに変換可能な変動入賞装置１４と、
　特別入賞装置４に設けられた特別装置作動領域５を通過した特別入賞球を特別入賞玉検出スイッチが検出することによって特別権利状態を発生させ、この特別権利状態中に予め定めた始動入賞口１３，３０へ球が入賞することを必要条件として上記変動入賞装置１４を所定条件が達成されるまで第１状態から第２状態に変換制御し、特別権利状態中における始動入賞口１３，３０への入賞球が所定数に達する事および特別権利状態中に特別権利状態発生条件が達成される事を特別権利状態消滅条件とし、該特別権利状態消滅条件が達成されることに基づいて特別権利状態を消滅させる遊技制御手段と、を備える遊技機であって、
　上記始動入賞口３０の侵入口３５から入賞球を受け入れて始動入賞玉検出スイッチへ誘導する始動入賞口３０は、侵入口３５から入賞球を受け入れ可能となるまでに所定時間を要する機構を含んで構成した遊技機が記載されていると認められる。
（２）甲第３号証（特開平４−９２６８９号公報）には
（２-a）「上記球貯留装置１４は、遊技部９を流下する遊技球を一時的に貯留させると共に１個宛流下させる貯留手段であり、遊技部９を流下してきた球を受け入れる単一の入賞口たる上部入賞口４７を形成した円環状の貯留枠４８の内部に球貯留部材４９を回動自在に設けたもので、上記球貯留部材の周縁部には１個宛貯留可能な球貯留部４９ａ…を形成してあると共に、電気的な駆動源たるモータ（図示省略）によって回動させられるのである。また、貯留枠４８の下部適所にはパチンコ機１の裏面側に開口する貯留球流下口５０を開設してあり、この球流下口５０に球貯留部４９ａが至ると、該球貯留部４９ａに貯留されている貯留球が第２特定入賞口１６へ導かれてゆき、第２特定入賞球検出器１９によって検出されるのである。」（４頁右下欄８行〜５頁左上欄３行）、
（２-b）「なお、球貯留部材４９を回動させる方向および回転速度は特に限定されるものではないが、例えば４９ａが球流下口５０を通過した後、該球貯留部４９ａに隣接する球貯留部４９ａが球流下口５０に到達するまでの時間を、可変表示装置１２の可変表示部１１ａ、ｌ１ｂ、１１ｃによる変換表示の開始から終了までの時間（例えば５秒）に等しく設定することが望ましい。
　また、上記球貯留部材４９の回転速度を遊技者の操作によって可変させ得るように、例えば前面枠２の左下部に操作スイッチ５１を設けてあり」（５頁左上欄４〜１４行）、
（２-c）「その他の場合には「速度制御態様」が選択されて、球貯留装置１４の球貯留部材４９の回転速度を上げ、球貯留部４９ａに貯留された貯留球を速やかに貯留球流下口５０へ導くのである。・・・また、球貯留装置１４内に貯留球の検出器を設けておき、補助遊技の終了直後等には球貯留部材４９の回転速度を自動的に速めるように構成してもよい。」（７頁右上欄１０行〜同頁左下欄２行）と記載されている。
（３）甲第４号証（特開平４−１９３１９０号公報）には、
「一方、特別遊技の権利中にない場合でも、始動口８の開閉翼９が開くと打球が始動口８に入賞するようになるが、・・・また、通常時には可変表示器ＬＥＤＨの表示が当りとなって始動口８の開閉翼９ａ、９ｂが開く確率を小さくしても良い。」（１１頁右上欄３〜１３行）と記載されている。
３-4-2．対比・判断
　本件発明と甲第２号証記載の発明とを対比すると、甲第２号証記載の発明の「変動入賞装置１４」が本件発明の「変動入賞装置」に対応し、同様に、「特別入賞装置」が「分別装置」に、「始動入賞口３０」が「特定入賞口」に、「受入凹部３６が形成された回転体３２」が「遊技球受入機構」に対応しているから、本件発明と甲第２号証記載の発明とは、
（Ａ）本件発明では、「分別装置が回転体の位置に応じて異なる回転動作をする特別権利状態」であるに対し、甲第２号証に記載された発明では、前記構成を備えていない点、
（Ｂ）本件発明では、「特定入賞口から入賞球を受け入れて特定入賞球検出器へ誘導する特定入賞手段は、特定入賞口から入賞球を受け入れ可能となるまでに要する時間である遊技球受入周期を変更可能な遊技球受入機構を含んで構成し、
　上記遊技制御手段により、特別権利状態でない間は、遊技球受入機構の遊技球受入周期を予め定めた規定周期となし、特別権利状態中は、遊技球受入機構の遊技球受入周期を規定周期よりも短く且つ特別権利状態中に第１状態から第２状態に変換された変動入賞装置が再び第１状態に変換される最長時間よりも長い特別周期とするように、特定入賞手段の遊技球受入機構を制御するようにし」ているのに対し、甲第２号証に記載された発明は前記構成を備えていない点、で構成が相違する。
　上記相違点について検討するに、甲第３号証には、上部入賞口４７から入賞球を受入可能となるまでの時間を可変できるように構成することが、甲第４号証には、通常時に可変表示器ＬＥＤＨの表示が当りとなって始動口８の開閉翼９ａ、９ｂが開く確率を小さくすることが記載されているが、甲第３又は４号証には、特別権利状態発生条件が達成されることに基づき、分別装置が回転体の位置に応じて異なる回転動作をする構成は記載されていない。
　そして、本件発明は、「分別装置に設けられた特別入賞球出口から排出された特別入賞球を特別入賞球検出器が検出することによって、特別権利状態発生条件が達成されることに基づき、前記分別装置が回転体の位置に応じて異なる回転動作をする特別権利状態を発生させるので、特別遊技の権利が消滅し、特別遊技はその時点で終了する（所謂パンク状態）の発生確率を低減させることができ、特別権利状態における遊技者の獲得利益をある程度補償できるようになる」という明細書記載の効果を奏するものである。
　したがって、上記相違点（Ｂ）を検討するまでもなく、本件発明が、甲第２ないし４号証に記載され発明に基づいて当業者が容易に発明をすることができたものとすることはできない。
　
３-5．むすび　
　以上のとおりであるから、特許異議の申立ての理由及び証拠方法によっては、本件請求項１に係る発明についての特許を取り消すことはできない。
　また、他に本件請求項１に係る発明についての特許を取り消すべき理由を発見しない。
　したがって、本件請求項１に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年６月２３日（２００３．６．２３）
【訂正の要旨】
▲１▼　訂正事項ａ
　特許第３１８５０３９号の特許請求の範囲を、
「【特許請求の範囲】
　【請求項１】　遊技者にとって不利な第１状態と遊技者にとって有利な第２状態とに変換可能な変動入賞装置と、
　
分別装置に設けられた特別入賞球出口から排出された特別入賞球を特別入賞球検出器が検出することによって、
き、前記分別装置が回転体の位置に応じて異なる回転動作をする
　を備える遊技機
であっ
　上記特定入賞口から入賞球を受け入れて特定入賞球検出器へ誘導する特定入賞手段は、特定入賞口から入賞球を受け入れ可能となるまでに要する時間である遊技球受入周期を変更可能な遊技球受入機構を含んで構成し、
　上記遊技制御手段により、特別権利状態でない間は、遊技球受入機構の遊技球受入周期を予め定めた規定周期となし、特別権利状態中は、遊技球受入機構の遊技球受入周期を規定周期よりも短く且つ特別権利状態中に第１状態から第２状態に変換された変動入賞装置が再び第１状態に変換される最長時間よりも長い特別周期とするように、特定入賞手段の遊技球受入機構を制御するようにしたことを特徴とする遊技機。」と訂正をする。
▲２▼　訂正事項ｂ
　特許第３１８５０３９号の明細書の段落【０００４】を
「【０００４】
　【課題を解決するための手段】
　上記の課題を解決するため、請求項１に係る遊技機は、遊技者にとって不利な第１状態と遊技者にとって有利な第２状態とに変換可能な変動入賞装置（８）と、
分別装置に設けられた特別入賞球出口から排出された特別入賞球を特別入賞球検出器が検出することによって、
き、前記分別装置が回転体の位置に応じて異なる回転動作をする
であっ
▲３▼　訂正事項ｃ
　特許第３１８５０３９号の明細書の段落【０００５】を
「【０００５】
　【作用】
　上記構成を有する請求項１に係る遊技機によれば、特別権利状態でない間は、遊技制御手段の制御によって特定入賞手段における遊技球受入機構の遊技球受入周期が予め定めた規定周期となり、特別権利状態中は、遊技制御手段の制御によって遊技球受入機構の遊技球受入周期が特別周期（規定周期よりも短く且つ特別権利状態中に第１状態から第２状態に変換された変動入賞装置が再び第１状態に変換される最長時間よりも長い周期）となる。
　また、分別装置に設けられた特別入賞球出口から排出された特別入賞球を特別入賞球検出器が検出することによって、特別権利状態発生条件が達成されることに基づき、前記分別装置が回転体の位置に応じて異なる回転動作をする特別権利状態を発生させるので、所謂パンク状態の発生確率を低減させる。
▲４▼　訂正事項ｄ
　特許第３１８５０３９号の明細書の段落【０１３８】を
「【０１３８】
　【発明の効果】
　以上説明したように、請求項１に係る本発明によれば、特別権利状態でない間は、遊技制御手段の制御によって特定入賞手段における遊技球受入機構の遊技球受入周期が予め定めた規定周期となり、特別権利状態中は、遊技制御手段の制御によって遊技球受入機構の遊技球受入周期が特別周期（規定周期よりも短く且つ特別権利状態中に第１状態から第２状態に変換された変動入賞装置が再び第１状態に変換される最長時間よりも長い周期）となるので、特別権利状態中における特定入賞口への球入賞は変動入賞装置が第１状態へ復帰するまで実質的に不可能となって、特別権利状態における変動入賞装置の第２状態変換回数が減ぜられることを防ぐことができ、特別権利状態における遊技者の獲得利益をある程度補償できるようになると共に、特別権利状態中における変動入賞装置の第２状態変換のタイミングが著しく間延びして遊技者の遊技意欲を減退させたり、無駄打ちによって獲得利益が失われることを効果的に防止できる。
　特に、分別装置に設けられた特別入賞球出口から排出された特別入賞球を特別入賞球検出器が検出することによって、特別権利状態発生条件が達成されることに基づき、前記分別装置が回転体の位置に応じて異なる回転動作をする特別権利状態を発生させるので、特別遊技の権利が消滅し、特別遊技はその時点で終了する（所謂パンク状態）の発生確率を低減させることができ、特別権利状態における遊技者の獲得利益をある程度補償できるようになる。
　しかも、特別権利状態で無い間における特定入賞手段の遊技球受入周期である規定周期は特別権利状態中における特別周期よりも長いので、特別権利状態に比べて特定入賞口への球入賞の発生タイミングは長くなることから、特別権利状態でない間に特定入賞口への球入賞によって遊技者の獲得する利益が著しく増大することを防げる。従って、特別権利状態を発生させるために遊技球を打ち込む領域と離隔させて特定入賞口を配置する必要が無くなるので、特別権利状態の発生中か否かに拘わらず、同じ領域に遊技球を打ち込んだままで遊技を進められるような盤面構成の遊技機とすることができる。」と訂正する。
（５４）【発明の名称】
遊技機
（５７）【特許請求の範囲】
　【請求項１】　遊技者にとって不利な第１状態と遊技者にとって有利な第２状態とに変換可能な変動入賞装置と、
　
分別装置に設けられた特別入賞球出口から排出された特別入賞球を特別入賞球検出器が検出することによって、
き、前記分別装置が回転体の位置に応じて異なる回転動作をする
　を備える遊技機
であっ
　上記特定入賞口から入賞球を受け入れて特定入賞球検出器へ誘導する特定入賞手段は、特定入賞口から入賞球を受け入れ可能となるまでに要する時間である遊技球受入周期を変更可能な遊技球受入機構を含んで構成し、
　上記遊技制御手段により、特別権利状態でない間は、遊技球受入機構の遊技球受入周期を予め定めた規定周期となし、特別権利状態中は、遊技球受入機構の遊技球受入周期を規定周期よりも短く且つ特別権利状態中に第１状態から第２状態に変換された変動入賞装置が再び第１状態に変換される最長時間よりも長い特別周期とするように、特定入賞手段の遊技球受入機構を制御するようにしたことを特徴とする遊技機。
【発明の詳細な説明】
　【０００１】
　【産業上の利用分野】
　本発明は、遊技者にとって不利な第１状態と遊技者にとって有利な第２状態とに変換可能な変動入賞装置と、予め定めた特別権利状態発生条件が達成されることに基づいて特別権利状態を発生させ、この特別権利状態中に予め定めた特定入賞口へ球が入賞することを必要条件として上記変動入賞装置を所定条件が達成されるまで第１状態から第２状態に変換制御し、特別権利状態中における特定入賞口への入賞球が所定数に達する事および特別権利状態中に特別権利状態発生条件が達成される事を特別権利状態消滅条件とし、該特別権利状態消滅条件が達成されることに基づいて特別権利状態を消滅させる遊技制御手段と、を備えるいわゆる第３種の遊技機に関する。
　【０００２】
　【従来の技術】
　従来の所謂第３種の遊技機は、予め定めた特別権利状態発生条件が達成されることに基づいて特別権利状態を発生させ、この特別権利状態中に予め定めた特定入賞口へ球が入賞することを必要条件として、遊技者にとって不利な第１状態と遊技者にとって有利な第２状態とに変換可能な変動入賞装置を所定条件が達成されるまで第１状態から第２状態に変換し、この特別権利状態中における特定入賞口への入賞球が所定数に達する事および特別権利状態中に特別権利状態発生条件が達成される事を特別権利状態消滅条件として、これら特別権利状態消滅条件の何れか最先の条件が達成されることに基づいて特別権利状態を消滅させる遊技内容である。
　また、従来の第３種の遊技機では、特別権利状態の発生条件を達成するべく狙って遊技球を打ち込む領域（例えば、遊技盤面の左側の領域）と離隔させた領域（例えば、遊技盤面の右側の領域）に特定入賞口を設けるものとなっており、特別権利状態が発生した後は、変動入賞装置の第２状態変換条件を達成すべく、打ち方を変えて遊技を進めるものであった。
　【０００３】
　【発明が解決しようとする課題】
　しかしながら、上記のような従来の第３種の遊技機では、特別権利状態の発生中に特定入賞口へ遊技球が入賞して変動入賞装置が第２状態に変換されている間（所定条件が達成されて変動入賞装置が第２状態から第１状態に変換されるまでの間）に特定入賞口へ遊技球が入賞しても、ただ特別権利状態消滅条件としての特定入賞口への入賞球数が増加するだけであり、その特定入賞口への入賞に基づく変動入賞装置の第２状態変換制御は行われないため、遊技者の利益が減ぜられるものであった。すなわち、特別権利状態発生中においては、変動入賞装置の第２状態変換中に特定入賞口へ遊技球が入賞することは、特別権利状態の消滅を早める結果となってしまうため、変動入賞装置の第２状態変換中に特定入賞球が発生しないような構成が望ましいのである。
　そこで、遊技盤面を流下する遊技球が特定入賞口へ入賞可能となるまでに要する時間を変動入賞装置の第２状態変換時間（特定入賞口への遊技球入賞に基づいて第１状態から第２状態に変換された変動入賞装置が再び第１状態に変換される最長時間）よりも長くするような遊技球受入機構を設けることも考えられる。このような遊技球受入機構を設けて、特定入賞口への球入賞に一定の時間周期を与える構成とすれば、第２状態に変換された変動入賞装置が再び第１状態に復帰するよりも前に特定入賞球が発生することはないので、特別権利状態中における変動入賞装置の第２状態変換回数が減ぜられることを防止し、特別権利状態における遊技者の獲得利益が損なわれることを抑制できるのである。
　ところが、従来の第３種の遊技機では、特別権利状態が発生していない間にも特定入賞口へ遊技球が入賞可能としていることから、上述した如く、遊技球受入機構によって一定の時間周期毎に特定入賞口へ遊技球が入賞し易いようにした場合、特別権利状態が発生していない間でも特定入賞口へ一定周期毎に入賞する可能性が高くなる。すなわち、特定入賞口への遊技球受入機構の時間周期が比較的短い間隔（特別権利状態中における変動入賞装置の第２状態変換時間より長くても、他の一般的な入賞口への平均的な入賞周期に比べれば十分に短い周期）であると、特別権利状態が発生していない間にも特定入賞口への球入賞が顕著となり、遊技店における営業上の収支に大きな影響を及ぼす可能性が生ずるのである。
　逆に、特定入賞口への遊技球受入機構の時間周期を十分長く設定すると、特別権利状態中であるにも拘わらず、特定入賞口への入賞周期が長くなり過ぎて、変動入賞装置の第２状態変換制御のタイミングが間延びしてしまい、遊技者に与える遊技上の興趣を減退させてしまう可能性がある。しかも、遊技球受入機構に定まった時間周期から特定入賞口への球入賞の望みがない間にも遊技者が特定入賞口を狙って無駄に遊技球を弾いてしまうと、せっかく特別権利状態中における変動入賞装置の第２状態変換で獲得した賞球を無為に費やしてしまう結果となり、十分な利益を獲得できなくなってしまう。
　このようなことから、遊技球受入機構により特定入賞口への球入賞に周期的な制限を与える構成を採用するとしても、その特定入賞口への球入賞の周期の設定が難しく、特別権利状態の発生中における円滑な遊技進行を優先的に考慮すれば、遊技球受入機構に設定する時間周期を短くせざるを得ないため、従来の第３種の遊技機と同様に、特別権利状態を発生させるために遊技球を打ち込む領域と離隔させて特定入賞口を配置せざるを得ず、結果として、特別権利状態の発生中か否かで、遊技者に打ち分けを強いることとなってしまう。
　【０００４】
　【課題を解決するための手段】
　上記の課題を解決するため、請求項１に係る遊技機は、遊技者にとって不利な第１状態と遊技者にとって有利な第２状態とに変換可能な変動入賞装置（８）と、
分別装置に設けられた特別入賞球出口から排出された特別入賞球を特別入賞球検出器が検出することによって、
き、前記分別装置が回転体の位置に応じて異なる回転動作をする
であっ
　【０００５】
　【作用】
　上記構成を有する請求項１に係る遊技機によれば、特別権利状態でない間は、遊技制御手段の制御によって特定入賞手段における遊技球受入機構の遊技球受入周期が予め定めた規定周期となり、特別権利状態中は、遊技制御手段の制御によって遊技球受入機構の遊技球受入周期が特別周期（規定周期よりも短く且つ特別権利状態中に第１状態から第２状態に変換された変動入賞装置が再び第１状態に変換される最長時間よりも長い周期）となる。
　また、分別装置に設けられた特別入賞球出口から排出された特別入賞球を特別入賞球検出器が検出することによって、特別権利状態発生条件が達成されることに基づき、前記分別装置が回転体の位置に応じて異なる回転動作をする特別権利状態を発生させるので、所謂パンク状態の発生確率を低減させる。
　【０００６】
　【実施例】
　以下、本発明の実施例を図面にもとづいて説明する。遊技機１は、図１に示すように、額縁状の前面枠２の窓部を裏側から塞ぐようにして遊技盤３を設け、該遊技盤３の表面にガイドレール４で囲んだ遊技部５を形成してあり、遊技部５内には種々の入賞領域、障害釘や風車等を設けてある。また、遊技部５内の略々中央上部に可変表示装置６を設け、該可変表示装置６は左右１対の第１可変表示器７ａ，第２可変表示器７ｂを備え、上記可変表示装置６の適宜左下方には第２変動入賞装置たる変動入賞装置（大入賞口）８を配設し、上記可変表示装置６の適宜下方には入賞球分別手段たる分別装置９と特別入賞口である補助変動入賞装置１０とを一体的に設けてある。
　【０００７】
　また、この遊技機１の側方には、この遊技機１に対して球貸しが可能なカード式球貸機２６が並設されており、遊技者が球貸用カードを挿入するカード挿入孔２８が設けられている。
　そして、遊技機１には、上記のカード挿入孔２８に球貸用カードが挿入された場合にその残存度数を表示するカード度数表示器２１３と、１回のボタン操作により所定数の球貸を行わせる球貸制御信号を上記カード式球貸機２６に発するための球貸操作ボタン２１４と、球貸しにより球排出装置３０（図３）から排出された遊技球あるいは賞球を受けるための上皿２２および下皿２０と、この上皿２２上の遊技球を上記遊技部５に向け１個宛発射可能な打球発射装置１８（図２）と、遊技者がこの打球発射装置１８を操作するための操作ハンドル１９と、が設けられている。
　【０００８】
　さらに、遊技盤３の遊技部５内に設けた各種の入賞領域を説明する。上記可変表示装置６の左下方に第１特定入賞領域としての通過ゲート１１を形成し、該通過ゲート１１へ通過入賞した球は、第１特定入賞信号発生手段としてのゲート通過球検出器１２によって検出されるものとしてある。また、分別装置９の左側方には第２特定入賞領域及び第３種始動口としての特定入賞口１３を配置し、該特定入賞口１３に入賞した球は、第２特定入賞信号発生手段としての特定入賞球検出器１４によって検出されるものとしてある。なお、これらの入賞領域のほかに、一般の入賞領域としての第１一般入賞口１５ａ、第２一般入賞口１５ｂ、第３一般入賞口１５ｃを適宜に設けてあり、各一般入賞口１５ａ〜１５ｃに入賞した球は、第１入賞球検出器１６ａ、第２入賞球検出器１６ｂ、第３入賞球検出器１６ｃによって検出されるものとしてある。
　【０００９】
　何れの入賞領域にも入賞せず、入賞球として処理されなかった打球は、遊技部５の下部に開設したアウト口から回収されて、アウト球検出器（図示省略）によって１個宛て検出されるようにしてある。また、入賞球として処理された遊技球は、各入賞口等に設けた検出器によって検出された後に導かれる入賞球回収樋等において、セーフ球検出器によって一括して検出されるようにしてもよい。
　【００１０】
　また、前面枠２の裏側下方に打球発射装置１８を設け、該打球発射装置１８の操作ハンドル１９を前面枠２の下部前面に突設し、該操作ハンドル１９の横に下皿２０を設け、下皿２０の上方の開閉パネル２１には球供給皿２２を設けてある。この開閉パネル２１の裏面側には、発射レール２３の発射位置に載せられた遊技球を弾発可能な打球発射装置１８の発射ソレノイド２４を配設してあり、該発射ソレノイド２４のプランジャ先端に設けた弾発部２５が往復直線運動することによって弾発された遊技球は、上記発射レール２３を介してガイドレール４へ到達し、ガイドレールに沿って遊技部５へ至るのである。
　【００１１】
　なお、打球発射装置１８は、発射レール２３の傾斜下端に形成した発射位置に供給された遊技球を発射する機能を備えていればどのような形式のものでもよい。例えば、先端に弾発部を有する発射杆をモータやロータリーソレノイドの駆動により回動するものでもよい。
　【００１２】
　図２に示す実施例においては、遊技部５へ到達できずにガイドレールに沿って落下してきたファール球を回収するために、発射レール２３とガイドレール４との間に開口するファール球回収路２７を設けてある。ファール球は、ファール球回収路２７から下皿２０等へ導かれる。
　【００１３】
　また、図３に示すように、遊技盤３の裏側に配設した裏機構盤２９には球排出装置３０や該球排出装置３０が流下した球を球供給皿２２に案内する球排出樋３１などの裏機構を設けてある。なお、本実施例では、打球がいずれの入賞口（第１〜第３一般入賞口１５ａ〜１５ｃや、特定入賞口１３等）、即ち入賞領域に入賞しても賞球排出数は７個に設定してある。また、上記球排出装置３０は、賞球排出動作のみでなく、遊技者に遊技球を貸し出す場合の貸球排出動作も兼ねて行えるものとしてあり、これら球排出動作に関連した制御を統括して行うための排出制御装置３２を電気的制御装置３３とは別途に設けてある。また、打球発射装置１８においても、弾発用の球供給や発射タイミング等を総括的に行うための打球発射制御装置３４も電気的制御装置３３とは独立させて設けてある。
　【００１４】
　更に、前面枠２の裏側下方には、可変表示装置６に賞態様が形成される確率たる権利発生率を設定したり、可変表示確率を設定するための設定操作部３５等を設けてある。また、これらの設定を営業中は変更できないようにするため、および特定の管理者以外の者が不正に操作できないようにするために鍵３６ａを設けてある。そして、設定権利発生率や設定可変表示確率を表示するために、設定確率表示器３８，３８，３８を設けてある。
　【００１５】
　次に、遊技盤３の遊技部５に設けた各種遊技装置について説明する。
　【００１６】
　可変表示装置６は、その本体を成す表示装置本体部３９と配電盤４０とから構成してあり、該配電盤４０は、後に詳述する電気的制御装置３３と各種制御信号の授受を行うための各種信号ラインを接続する信号ターミナル部として機能するのである。
　【００１７】
　上記表示装置本体部３９は、図７に示すように、可変表示装置６の主要な外形を構成する表示装置前枠部４１と、該表示装置前枠部４１の後部に設けた可変表示部４２と、該可変表示部４２の下方に取り付ける遊技球落下部４３とから構成してある。なお、遊技球落下部４３は、可変表示装置６の上部左側に設けた第５一般入賞口１５ｅに入賞して落下する遊技球を受けて、当該遊技球を検出するための第５入賞球検出器１６ｅへ導くためのものである。
　【００１８】
　前記表示装置前枠部４１には、可変表示装置６を遊技盤３の前面へ密着状に取り付けるための表示装置構成基枠４４を設けてあり、該表示装置構成基枠４４の前面上部には第５一般入賞口１５ｅが形成される鎧部４５を取り付けると共に、該表示装置構成基枠４４の前面中部には第５一般入賞口１５ｅに入賞した球を上記遊技球落下部４３へ導く通路となる庇部４５を形成してある。また、表示装置構成基枠４４の前面下部には、通過ゲート１１を通過した遊技球の通過入賞数を記憶表示するための入賞個数記憶表示ランプ４５，４５，４５，４５を有するランプ基板４６を収容するための入賞記憶表示収容部４７を設けてある。さらに、表示装置構成基枠４４には、上記可変表示部４２及び遊技球落下部４３を臨ましめるための開口部４８を開設してあると共に、該表示装置構成基枠４４の裏面側には、上記遊技球落下部４３における遊技球の動きを遊技者に見せるための表示用空間部を生ぜしめる包囲枠４９を突設してある。
　【００１９】
　また、可変表示装置６の可変表示部４２には、第１可変表示器７ａ及び第２可変表示器７ｂを収容可能な可変表示器収容ケース５０と、該可変表示器収容ケース５０の収容ケース蓋部材５１とから構成してある。そして、この可変表示部４２の可変表示器収容ケース５０内に第１可変表示器７ａ（図中は図示せず）と第２可変表示器７ｂとを収容し、上記収容ケース蓋部材５１に設けた取付部５１ａ，５１ｂに夫々開設した止着孔に、包囲枠４９後部の枠上の止着用突起５２ａ，５２ｂを夫々嵌入することで、包囲枠４９の枠内に可変表示器収容ケース５０を臨ませた状態で止着してある。なお、収容ケース蓋部材５１には第１可変表示器７ａのコネクタケーブル（図示せず）を挿通させるための第１挿通孔５３と、第２可変表示器７ｂのコネクタケーブル５４を挿通させるための第２挿通孔５５とを開設してあり、該第１，第２挿通孔５３，５５を介してコネクタケーブル５４等を上記配電盤４０へ導出するものとしてある。
　【００２０】
　遊技球落下部４３には、庇部４５と包囲枠４９とによって形成された通路より流入する遊技球が集まる円形状の球集結部５６を設けてあり、該球集結部５６の円周上にはガイド部５７を形成することで、遊技球が球集結部５６からこぼれ落ちることを防止できるようにしてある。この円形状の球集結部５６の中心には、前記第５一般入賞口１５ｅに入賞した球を第５一般入賞球検出器１６ｅへ向かって流出させる入賞球流出口５８を設け、該入賞球流出口５８に流入した遊技球は前記包囲枠４９の下方に取り付けた流出球受樋５９を介して第５一般入賞球検出器１６ｅへ導かれ、該第５入賞球検出器１６ｅによって検出された後、図示を省略した入賞球回収樋へ至り、図示を省略した入賞球処理機構において適宜に処理される。
　【００２１】
　なお、上記遊技球落下部４３のガイド部５７に設けた止着片６０ａを包囲枠４９の止着部６０ｂに、遊技球落下部４３の後部に設けた止着片６１ａを包囲枠４９の止着部６１ｂに、夫々ネジ等を用いて固着すると共に、遊技球落下部４３の先端隅部６２ａは、表示装置構成基枠４４の裏面に突設した取付部６２ｂに挿置することで、包囲枠４９の下方に取り付けるものとしてある。
　【００２２】
　上記入賞記憶表示収容部４７には、入賞個数記憶表示ランプ４５…をランプ孔に臨ませて取付け、遊技状態を表示する遊技状態表示ランプ６４，６４を有するランプ基板６５は、包囲枠４９の裏面側から遊技機１の前面へ臨むように取付け、さらに特定入賞口入賞球数表示器６５は、表示装置構成基枠４４の表示器取付孔６６から鎧部４５の開口部６７へ臨むように取り付けてある。また、上記配電盤４０は、その適所に設けた止着片６８ａを、包囲枠４９の背面側適所に突設したスタッド６８ｂにネジ等を介して取り付けるものとしてある。なお、この配電盤４０の背面側には、各種のコネクタ６９…を設けてある。
　【００２３】
　次に、補助変動入賞装置１０と分別装置９とを一体的に組んで構成した権利発生装置７０について説明する。
　【００２４】
　権利発生装置７０は、補助可変表示ゲームにおいて「当たり」が生じた段階から権利発生状態へ至るまでの間のゲームを行う装置であり、この補助可変表示ゲームにおいて当たりが生じた場合に、補助変動入賞装置１０を遊技者にとって有利な第２状態（球を入賞させ易い状態）に変換させ、該補助変動入賞装置１０に入賞して流下してきた遊技球を一般入賞球出口７１もしくは特別入賞球出口７２の何れかへ分別し、特別遊技の権利発生状態（特別権利状態）を生じさせるか否かを決定する分別装置９とから構成してある。
　【００２５】
　先ず、補助変動入賞装置１０は、遊技球が入賞し難い閉状態（第１状態）から入賞し易い開状態（第２状態）に変換される可動部７３と、該可動部７３を駆動させるための駆動装置７４と、補助変動入賞装置１０へ入賞した球を計数するための補助変動入賞装置用カウントスイッチ７５とから構成してある。
　【００２６】
　上記可動部７３は左右一対の球誘導片７６，７６からなり、各球誘導片７６，７６が回動する際の支点となる支軸７７を各球誘導片７６，７６の後端部より突設してある。そして、この支軸７７，７７の夫々の後端部にはクランク部材７８，７８を取り付け、該クランク部材７８の一方端部より後方に延出させたクランクピン７９を、後述する駆動装置７４のピン受孔８０に夫々挿通するものとしてある。斯くすることによって、球誘導片７６，７６を駆動装置７４によって開閉動作させるためのクランク機構を構成するのである。
　【００２７】
　上記駆動装置７４の駆動源たる補助変動入賞装置用ソレノイド８１は、補助可変表示ゲームで当りが発生した場合に、電気的制御装置３３の制御によって励磁状態にされると共に、この励磁状態にされた後、補助変動入賞装置１０への入賞個数が所定数（例えば１個）に達するか、所定時間（例えば１．５秒）が経過するか、何れか最先の条件が満たされた時点で、電気的制御装置３３によって励磁状態が解かれる。すなわち、補助可変表示ゲームで当りが生ずると、一定条件が満たされるまで、補助変動入賞装置１０が第２状態に変換されるのである。なお、補助変動入賞装置１０へ入賞途中であった球を球誘導片７６，７６によって噛み込んでしまったような場合に対処すべく、上記終了条件が満たされた後にも、極短時間（例えば０．０１２秒）だけ球誘導片７６，７６を変換動作させるようにしてもよい。
　【００２８】
　上記補助変動入賞装置用ソレノイド８１が励磁状態になったときには、補助変動入賞装置用ソレノイド８１に取り付けてある作動ロッド８２が上昇し、該作動ロッド８２の上端に取り付けられた作動部材８０が押し上げられることに伴って、作動部材８０に当接しているピン受孔８０を開設してあるピン受孔部材８４が押し上げられることとなる。その結果、ピン受孔部材８４がガイド部８５に沿って上昇し、ピン受孔８０に挿置されたクランクピン７９が回動させられることとなり、その回動力が上記クランク部材７８を介して支軸７７に夫々伝達されることで、各球誘導片７６，７６が左右方向に回動させられるのである。
　【００２９】
　一方、上記分別装置９は、回転体８６を組み込んだ構成基枠８７を備え、該構成基枠８７の前面側には、上記補助変動入賞装置１０の可動部７３が開状態（第２状態）の時に流入してきた遊技球を回転体８６へ導く回転体誘導部８８を設けてある。
　【００３０】
　上記構成基枠８７の後方には、回転体誘導部８８を介して回転体８６の何れかの入賞受口に入賞した球を遊技盤３の裏面側へ導くための分別装置裏側誘導部８９と、該分別装置裏側誘導部８９に至った遊技球の流路を形成する流路形成部９０とを設けてある。また、流路形成部９０の後方には、前記回転体８６に回転力を与えるためのモータを駆動基板９２を介して取り付けてある。
　【００３１】
　上記回転体誘導部８８は、中空のドーナツ状に形成してあり、該回転体誘導部８８の内面側によって、補助変動入賞装置１０内へ入賞した球を回転体８６へ導きいれるようにしてあり、この回転体誘導部８８の上部と、補助変動入賞装置１０の可動部７３とを遊技球流入口９３によって連通するものとしてある。なお、回転体誘導部８８の下部には平坦な遊技球待機部８８ａを形成してあり、上記遊技球流入口９３より遊技球待機部８８ａに到達した入賞球は、回転体８６の回転に伴って入賞受口が受け入れ可能な位置に来るまでここで待機するのである。また、この遊技球流入口９３の直下位置に補助変動入賞装置用カウントスイッチ７５を配設し、ここで補助変動入賞装置１０への入賞個数（分別装置９への球流入数）を計数するものとしてある。
　【００３２】
　また、構成基枠８７の裏面には、前記回転体８６を収容するための回転体収容枠９４を突設してあり、該回転体収容枠９４には、上記補助変動入賞装置用カウントスイッチ７５を挿通させるためのカウントスイッチ挿通孔９５を開設し、このカウントスイッチ挿通孔９５より遊技球流入口９３の直下位置へ補助変動入賞装置用カウントスイッチ７５を挿通し、上記回転体誘導部８８の上部に取り付けるものとしてある。なお、この構成基枠８７の裏面には、球誘導片７６，７６の支軸７７，７７を回動可能に支持するための誘導片用軸受筒９６，９６を夫々突設してある。
　【００３３】
　上記した回転体誘導部８８によって導かれた流入球を受け入れる回転体８６は、円柱の周方向に略々１２０度の等間隔で切欠部を形成した外観で、各切欠部は１個の遊技球のみを受け入れ得るようにしてある。この３つの切欠部のうち２つは、第１一般入賞受口９７、第２一般入賞受口９８であり、他の１つが特別入賞受口９９となるようにしてあり、この特別入賞受口９９のみが、他の第１，第２一般入賞受口９７，９８よりも軸心側へ深く欠き切った形状となるようにしてある。
　【００３４】
　そして、第１，第２一般入賞受口９７，９８に受け入れられた球は、分別装置裏側誘導部８９に設けた一般入賞球出口７１のみへ排出され、特別入賞受口９９に受け入れられた球は、分別装置裏側誘導部８９に設けた特別入賞球出口７２のみへ排出されるようにしてある。また、回転体８６の裏面側には、モータ９１の回転軸９１ａに固着するための回転体用支軸１００を突設してあり、該回転体用支軸１００が出力軸接続部材１０１を介してモータ９１の出力軸たる回転軸９１ａと接続されることにより、モータ９１の回転力が回転体８６に伝達され、回転体８６は時計回りの方向（図１３〜図１５中、Ａ方向）に回転するのである。
　【００３５】
　上記分別装置裏側誘導部８９の一般入賞球出口７１へ至った球は、該一般入賞球出口７１の直下位置に突設した一般入賞球通路１０２から、遊技盤３裏面の入賞球集合樋等へ排出される。また、特別入賞球出口７２へ至った球は、該特別入賞球出口７２の直下位置に突設した特別入賞球通路１０３から、遊技盤３裏面の入賞球集合樋等へ排出される。そして、この特別入賞球通路１０３の適所に特別入賞球検出器１０４を位置させるために、該特別入賞球検出器１０４を支持するための取付部１０５を設けてある。
　【００３６】
　なお、分別装置裏側誘導部８９の裏面には、上記回転体８６の回転体用支軸１００を回転可能に支持するための軸受部１０６を突設してあると共に、該分別装置裏側誘導部８９の上部を切り欠いて、可動部７３の支軸７７を逃がすための支軸逃がし部１０７を形成してある。
　【００３７】
　上記流路形成部９０はスタッド１０８，１０８，１０８を介して分別装置裏側誘導部８９の裏側に取り付けるものとし、分別装置裏側誘導部８９に取り付けられた状態の流路形成部９０の前面側は、一般入賞球通路１０２および特別入賞球通路１０３の側部（背面側）に当接することとなり、上記一般入賞球出口７１および特別入賞球出口７２から流入した球を入賞球集合樋等へ流下させるための流路を形成させるものとしてある。
　【００３８】
　また、この流路形成部９０の裏面側には、当該遊技機１の遊技状態を表示するための表示ランプを取り付けたランプ基板１１０を取り付けてある。そして、ランプ基板１１０の中央部および流路形成部９０の中央部には夫々軸受筒孔１１１を開設してあると共に、流路形成部９０の上部には球誘導片７６，７６の支軸７７，７７を挿通させるための挿通孔１１２を夫々開設してある。
　【００３９】
　さらに、ランプ基板１１０の裏面側には、断面コ字状の回転体位置検出器１１３を取り付けてあり、モータ９１の回転軸９１ａと回転体８６の支軸７７とを連結する出力軸接続部材１０１に設けた回転体位置検出片１１４が、上記回転体位置検出器１１３の検出凹部を通過する際に、該回転位置検出器が回転体８６基準位置検出信号を出力する。この回転体８６基準位置検出信号が入力されることに伴って、電気的制御装置３３は回転体８６が基準位置にあることを検出できるのである。すなわち、本実施例においては、回転体位置検出器１１３と、回転体８６の回転に伴って回転してゆく出力軸接続部材１０１の回転体位置検出片１１４とから回転体位置検出手段を構成するものとしてある。
　【００４０】
　なお、回転体位置検出手段は上記実施例に限定されるものではなく、回転体８６における第１一般入賞球受口９７，第２一般入賞球受口９８，特別入賞球受口９９と回転体収容枠９４（或いは回転体誘導部８８）との相対的な位置を検出可能なものであれば何でも良い。例えば、回転体８６の位置を検出するための検出器を複数箇所に設けておき、回転体８６が１回転する間に各検出器によって複数箇所で検出されるようにしたり、回転軸９１ａの回転角を一定角度毎に検出可能なエンコーダ等を用いて、回転体８６の位置検出を細かく行うように構成しても良い。
　【００４１】
　上記の如く、回転体誘導部８８、構成基枠８７、分別装置裏側誘導部８９、流路形成部９０、駆動基板９２等の各構成要素を組み付けてなる権利発生装置７０は、遊技盤３へ構成基枠８７を介して取り付けてある。
　【００４２】
　上記のように構成した権利発生装置７０の補助変動入賞装置１０が第２状態に変換されることによって、該補助変動入賞装置１０内に球が入賞し、該入賞球は遊技球流入口９３を介して分別装置９へ到達する。ここで、当該入賞球が分別装置９によって分別される過程を図１３〜図１５に基づいて説明する。
　【００４３】
　先ず、第１一般入賞受口９７が遊技球待機部８８ａを通過した後、特別入賞受口９９が遊技球待機部８８ａへ到達する前における第１状態（図１３参照）中に、入賞球が分別装置９内へ至ると、該入賞球は遊技球待機部８８ａで待機し、特別入賞受口９９へ受け入れられる。また、この分別装置９の第１状態中に２個以上の入賞球が発生した場合には、最先の入賞球が特別入賞受口９９へ、後続の入賞球が第２一般入賞受口９８、第１一般入賞受口９７へ夫々受け入れられる。なお、入賞球数が４個以上であった場合には、各入賞受口９７〜９９を一巡して再び特別入賞受口９９に受け入れられる。
　【００４４】
　斯くして、特別入賞受口９９に受け入れられた入賞球は、一般入賞球出口７１の開設位置よりも軸心側にずらされた状態で、特別入賞受口９９内に受け入れられているので、一般入賞球出口７１からは排出されず、特別入賞受口９９内に位置したまま更に移動して特別入賞球出口７２へ到達する。そして、この入賞球は特別入賞受口９９に対応するように開設した特別入賞球出口７２から排出され、特別入賞球検出器１０４によって検出されることで、特別入賞球として処理されるのである。
　【００４５】
　一方、第１，第２一般入賞受口９７，９８へ受け入れられた球は、一般入賞球出口７１から排出され、一般入賞球として処理される。なお、，第２一般入賞受口９７，９８に受け入れられているにも拘らず、一般入賞球出口７１から排出されないような事態が生じて、そのまま特別入賞球出口７２へ到達したとしても、第１，第２一般入賞受口９７，９８に受け入れられた状態では、特別入賞球出口７２からは排出されず、特別入賞球として処理されることはない。
　【００４６】
　また、第２一般入賞受口９８が遊技球待機部８８ａを通過した後、第１一般入賞受口９７が遊技球待機部８８ａへ到達する前における第２状態（図１４参照）中に、入賞球が分別装置９内へ至ると、該入賞球は遊技球待機部８８ａで待機し、第１一般入賞受口９７へ受け入れられる。また、この分別装置９の第１状態中に２個以上の入賞球が発生した場合には、最先の入賞球が第１一般入賞受口９７へ、後続の入賞球が特別入賞受口９９、第２一般入賞受口９８へ夫々受け入れられる。すなわち、分別装置９の第２状態中においては、少なくとも２個の入賞球が補助変動入賞装置１０より供給されなければ、特別入賞球は発生しないのである。
　【００４７】
　同様に、特別入賞受口９９が遊技球待機部８８ａを通過した後、第２一般入賞受口９８が遊技球待機部８８ａへ到達する前における第３状態（図１５参照）中に、入賞球が分別装置９内へ至ると、該入賞球は遊技球待機部８８ａで待機し、第２一般入賞受口９８へ受け入れられる。また、この分別装置９の第１状態中に２個以上の入賞球が発生した場合には、最先の入賞球が第２一般入賞受口９８へ、後続の入賞球が第１一般入賞受口９７、特別入賞受口９９へ夫々受け入れられる。すなわち、分別装置９の第３状態中においては、少なくとも３個の入賞球が補助変動入賞装置１０より供給されなければ、特別入賞球は発生しないのである。
　【００４８】
　上記したことから、分別装置９が第１状態の時には、補助変動入賞装置１０より１個の入賞球が供給されることで、確実に特別入賞を生ぜしめることが可能となり、分別装置９が第２状態の時には、補助変動入賞装置１０より２個の入賞球が供給されることで、確実に特別入賞を生ぜしめることが可能となり、分別装置９が第３状態の時には、補助変動入賞装置１０より３個の入賞球が供給されることで、確実に特別入賞を生ぜしめることが可能となるのである。従って、分別装置９における回転体８６と遊技球待機部８８ａとの相対的位置関係を掌握し、これに基づく分別装置９の状態（第１〜第３状態）に応じた補助変動入賞装置１０への許容入賞球数を可変設定する（本実施例の如く入賞許容数を１個に限定した場合には、補助変動入賞装置１０を第１状態に変換させる時期を第２状態もしくは第３状態に限定する）ことで、特別入賞の発生確率を意図的に調整することが可能となるのである。
　【００４９】
　なお、補助変動入賞装置１０より遊技球流入口９３を介して分別装置９内へ入賞球が到達する際に、その落下勢で回転体誘導部８８内を不規則に転動することに起因して、例えば第３状態における分別装置９に供給された１個の入賞球が偶然に特別入賞受口９９に受け入れられてしまうような事態も想定される。しかしながら、斯かる意図しない特別入賞の発生は、極めて希なケースであり、長時間に亙る遊技制御においては、殆ど無視できる程度のものである。また、このような意図しない特別入賞の発生後には、特別入賞の発生を抑制する遊技制御を行うことで、全体的な特別入賞の発生確率を調整することも可能である。
　【００５０】
　上記した権利発生装置７０において特別入賞が発生することで権利発生状態となることに基づいて、当該権利発生中に能動化される特定入賞口１３は、特定入賞装置１１５に設けてあり、該特定入賞装置１１５の外観は、中空函枠状の特定入賞基盤１１６の前面開成部を前面カバー１１７によって閉塞したもので、その上面に特定入賞口１３が形成される。また、特定入賞基盤１１６の内部には、周面適所に球を受け入れ可能な入賞球受部１１８ａを有する回転体１１８を設けてあり、該回転体１１８の入賞球受部１１８ａに、特定入賞口１３より入賞した入賞球が受け入れられた状態で、この回転体１１８が１８０度回転すると、当該入賞球は特定入賞基盤１１６に設けた特定入賞球受容部１１９へ至り、該特定入賞球受容部１１９の背面側に開設した特定入賞球出口１２０より遊技盤３の裏面側へ排出される際に、特定入賞球検出器１４によって検出されるのである。すなわち、特定入賞口１３から入賞球を受け入れて特定入賞球検出器１４へ誘導する特定入賞手段としての特定入賞装置１１５においては、特定入賞球検出器１４へ導くために回転体１１８の特定入賞球受容部１１９に特定入賞口１３からの入賞球を受け入れて特定入賞球出口１２０から排出する遊技球受入機構を含むものとしてあり、この回転体１１８の回転周期に応じて、回転体１１８の特定入賞球受容部１１９が後続の特定入賞口１３からの入賞球を受け入れ可能となるまでに要する時間（遊技球受入周期）が変化するのである。さらに、該特定入賞球検出器１４によって検出された後、入賞球集合樋等を経て入賞球処理機構部（図示省略）へ至り、適宜に入賞球として処理される。
　【００５１】
　また、特定入賞基盤１１６の背面側には軸挿通孔１２１を開設してあり、回転体１１８の軸心部に接続した出力軸接続部材１２２を上記軸挿通孔１２１より裏面側へ延出させ、この出力軸接続部材１２２にモータ１２３の出力軸１２３ａを接続することにより、モータ１２３の回転駆動力を回転体１１８へ伝達するものとしてある。なお、このモータ１２３は取付基板１２４に固定し、該取付基板１２４を介して特定入賞基盤１１６に取り付ける。また、当該遊技機１において権利が発生した状態を示すための権利発生表示ランプ１２５を有するランプ基板１２６も、特定入賞基盤１１６の裏面側より取り付けるものとしてある。さらに、特定入賞球検出器１４は、検出器取付部材１２７によって特定入賞球出口１２０の近傍に配設されるものとしてある。
　【００５２】
　上記のように構成した特定入賞装置１１５によれば、回転体１１８の入賞球受部１１８ａが特定入賞口１３の直下方に位置していなければ、特定入賞口１３に遊技球が到達していても特定入賞装置１１５には入賞できない。したがって、権利発生状態に至るまでの間には、入賞球受部１１８ａを特定入賞口１３の直下方に位置させないことで、特定入賞口１３へ球が入賞することを防止できる。また、回転体１１８の入賞球受部１１８ａを特定入賞口１３の直下方に位置させていた場合であっても、回転体１１８が１８０度回転しなければ、入賞球受部１１８ａに受け入れられた球が特定入賞球として処理されることはない。
　【００５３】
　しかも、特定入賞口１３に入賞した球が入賞球受部１１８ａに受け入れられてから特定入賞球受容部１１９へ到達し、さらに特定入賞球検出器１４によって検出されるまでに時間差が生ずるので、権利発生中に遊技者が著しい不利益を蒙ることを防止できる。すなわち、権利発生状態中に特定入賞口１３へ受入可能な特定入賞球数は所定数（例えば１６個）に限定されているのに対して、後述する変動入賞装置８が第２状態変換中に特定入賞口１３へ入賞した球数は記憶保持されないので、変動入賞装置８の第２状態変換中に特定入賞球検出器１４に検出された特定入賞球数は、権利発生状態の終了条件判定にのみ用いられることとなり、権利発生状態になったにも拘らず、十分な賞球を獲得できないままに権利発生状態が終了してしまうといった、遊技者が受ける不利益を小ならしめることができるのである。
　【００５４】
　なお、特定入賞装置１１５は、上記構成に限定されるものではなく、例えば上記した補助変動入賞装置１０や後述する変動入賞装置８と同様な構成で、遊技球を受け入れない第１状態と、遊技球を受け入れ可能な第２状態とに変換可能な入賞装置で構成しても、他の一般入賞口と同様に入賞口を開設したのみの構成にしても良い。そして、権利発生中以外に特定入賞口１３へ入賞した場合には、当該入賞球を無効としたり、一般の入賞球と同様に扱ったりといった処理を電気的制御装置３３が行うようにすれば、何等不都合は生じない。
　【００５５】
　第２変動入賞装置として機能する変動入賞装置８は、電気的駆動源の駆動により、遊技者にとって不利な第１状態と遊技者にとって有利な第２状態とに変換可能であればどのような構成でもよいが、図１８及び図１９に示すものは、取付基板１２８の開口部１２９の両側に開閉翼１３０，１３０を軸着し、開口部１２９には球受部１３１を形成してある。
　【００５６】
　各開閉翼１３０の回動軸１３２は、取付基板１２８を貫通して延在しており、その後端には開閉翼１３０，１３０を左右に開閉動作させるためのピン１３３を植設した操作レバー１３４が固定してある。そして、この操作レバー１３４のピン１３３は、電気的駆動源であるソレノイド１３５のプランジャ下端に設けた操作部材１３６の係合孔１３７内に緩く挿入されている。このため、左右の開閉翼１３０，１３０は、プランジャの自重及び復帰ばねの作用により、通常は開閉翼１３０，１３０の上端間隔を球が１個通過し得る程度の間隔に閉じた状態（図５）、即ち遊技者にとって不利な第１状態を維持している。
　【００５７】
　ソレノイド１３５は、駆動基板１３８の裏面に突設したボスに取付けられているが、操作部材１３６及びその係合孔１３７が左右２つの操作レバー１３４，１３４のピン１３３，１３３に対して共通に形成されている。ソレノイド１３５を励磁して、操作部材１３６を開閉翼１３０，１３０の外開き方向の回動習性に抗して引き上げると、操作部材１３６及びピン１３３が上方向に移動し、各操作レバー１３４が回動軸１３２を中心にして外開きに回動して開閉翼１３０，１３０が開き、球を受け入れ易い状態、即ち遊技者にとって有利な第２状態に変換する。
　【００５８】
　第２状態に変換して開かれた開閉翼１３０，１３０に入賞した球は、球受部１３１に拾われて開口部１２９を抜けて取付基板１２８の裏側を下方に流下し、取付基板１２８裏側に設けてあるフォトセンサタイプの計数用検出器１３９によって検出される。計数用検出器１３９は、球を検出すると、後に詳述する電気的制御装置３３に信号を送る。この変動入賞装置８も入賞領域として機能し、該変動入賞装置８に打球が入賞し、これを計数用検出器１３９によって検出することに基づいて賞球が排出されるのである。
　【００５９】
　なお、この変動入賞装置８は、横長な扉をソレノイドの駆動により開閉することによって球を受け入れない第１状態と球を受け入れ易い第２状態に変換する所謂アタッカー式入賞装置でもよい。
　【００６０】
　次に、上記した構成からなる遊技機１における遊技について説明する。
　【００６１】
　遊技者が操作ハンドル１９を操作することにより発射された球が遊技盤３の遊技部５内に入ると、障害釘に当って流下方向を変更しながら流下する。そして、この球が第１特定入賞領域としての通過ゲート１１へ通過入賞すると、ゲート通過球検出器１２がこの球を検出して電気的制御装置３３に信号を送る。電気的制御装置３３は、ゲート通過球検出器１２からの信号を受けると、可変表示装置６を作動させて、遊技者が識別できない速さで数字を可変表示させる。すなわち、上記ゲート通過球検出器１２は、可変表示装置６を作動させるための第１特定入賞信号発生手段として機能するのである。
　【００６２】
　そして、電気的制御装置３３は、この信号を受けると、可変表示装置６の第１，第２可変表示器７ａ，７ｂを作動させて遊技者が認識できない速さで数字を変換表示する。そして、電気的制御装置３３のタイマに予め設定してある所定時間が経過するか、或は遊技者がストップスイッチ（図示せず）を操作すると、可変表示装置６の可変表示が停止し、２桁の数字が停止表示される。この停止図柄が予め設定してある賞態様を形成した場合（例えば「１」と「１」、「３」と「３」、「５」と「５」、「７」と「７」、「９」と「９」が表示された場合）には、権利発生装置７０における補助変動入賞装置１０の補助変動入賞装置用ソレノイド８１を所定時間（例えば１．５秒間）もしくは電気的制御装置３３で定めた所定数（例えば１個）の入賞球を補助変動入賞装置用カウントスイッチ７５が計数するまで励磁する。したがって、補助変動入賞装置１０は、可変表示装置６により賞態様を形成すると、所定時間経過もしくは所定数の入賞の何れか最先の条件が満たされるまで球誘導片７６，７６を開いて打球を受け入れ易い第２状態に変換する。なお、上記何れかの条件が満たされると、補助変動入賞装置用ソレノイド８１が消磁するので、補助変動入賞装置１０は、球誘導片７６，７６を閉じた第１状態に復帰することとなる。
　【００６３】
　上記の如く第２状態に変換させられた補助変動入賞装置１０に打球が入賞すると、該入賞球は遊技球流入口９３を介して、分別装置９へ到達する。そして、回転体８６の第１，第２一般入賞球受口９７，９８に受け入れられた場合には、一般入賞球出口７１から排出され、一般入賞球通路１０２に落下して一般入賞球として処理され、特別遊技の権利は発生せず、通常の遊技状態に復帰する。なお、補助変動入賞装置１０の第２状態変換動作後に、ゲート通過球検出器１２の検出信号に基づく記憶があった場合には、再び可変表示装置６の変換表示を開始し、上記と同様な動作が繰り返される。
　【００６４】
　しかして、特別入賞受口９９に入賞球が受け入れられた場合には、一般入賞球出口７１を通過して特別入賞球出口７２から排出され、特別入賞球通路１０３に落下し、特別入賞球検出器１０４により検出される。そして、特別入賞球検出器１０４は特別入賞球を検出すると、電気的制御装置３３に特別入賞球検出信号を送出し、該信号の入力によって、電気的制御装置３３は権利発生状態としての特別遊技を開始する。すなわち、本実施例においては、特別入賞球検出器１０４が特別入賞球を検出することを特別権利状態発生条件とし、この特別入賞球検出信号を受けて特別権利状態中の遊技制御（予め定めた特定入賞口へ球が入賞することを必要条件として上記変動入賞装置を所定条件が達成されるまで第１状態から第２状態に変換制御し、特別権利状態中における特定入賞口への入賞球が所定数に達する事および特別権利状態中に特別権利状態発生条件が達成される事を特別権利状態消滅条件とし、該特別権利状態消滅条件が達成されることに基づいて特別権利状態を消滅させる制御）を行う電気的制御装置３３が遊技制御手段として機能するのである。なお、上記分別装置９によって補助変動入賞装置１０への入賞球を特別入賞球に分別する確率は、後述する電気的制御装置３３の制御に基づいて適宜に調整するものとしてある。また、分別装置９における回転体８６の回転動作は、一定方向（図１３〜図１５においてはＡ方向）に常時等速度で回転するものに限らず、微妙に回転速度を増減させたり、回転体８６の各入賞受口９７〜９９が遊技球待機部８８ａに近接した時点で、回転体８６の回転動作を一旦停止させるようにしても良い。
　【００６５】
　斯くして、この特別遊技の権利が発生した後（特別権利状態中）に遊技部５内を流下してきた球が特定入賞口１３に入賞すると、特定入賞球検出器１４がこの球を検出して電気的制御装置３３に信号を送り、電気的制御装置３３はこの信号に基づいて変動入賞装置８のソレノイド１３５を所定期間だけ、例えばタイマに設定した所定時間（例えば１０秒間）が経過するまでの期間、或は変動入賞装置８に所定数（例えば１０個）の球が入賞するまでの期間だけ励磁する。すなわち、変動入賞装置８は、上記条件が満たされるまでの所定期間の間だけ球を受け入れ易い第２状態に変換されるのである。
　【００６６】
　第２状態に変換中の変動入賞装置８に打球が入賞すると、計数用検出器１３９がこの球を１個宛検出して電気的制御装置３３に検出信号を送り、電気的制御装置３３はこの信号に基づいて、第２状態変換中における変動入賞装置８への入賞球数を計数し、所定数に達するとソレノイド１３５を消磁して変動入賞装置８を第１状態に復帰させる。なお、入賞球数が所定数に達しなくても、所定時間が経過すると、電気的制御装置３３はソレノイド１３５を消磁して変動入賞装置８を第１状態に復帰させる。
　【００６７】
　この様に、所定時間の経過すること、または入賞球数が所定数に達することのいずれかの条件が成立すると変動入賞装置８は第１状態に復帰するが、この条件が成立するまでを１サイクルとし、上記条件が成立した後に特定入賞１３への入賞に基づいて特定入賞球検出器１４が特定入賞球を検出する毎に、サイクルの更新が行われ、特別遊技を所定の回数（例えば１６サイクル目）まで継続することができる。即ち、変動入賞装置８が第１状態に復帰した後に球が特定入賞口１３に入賞すると、特定入賞球検出器１４がこの球を検出して電気的制御装置３３に信号を送り、この信号に基づいて電気的制御装置３３が変動入賞装置８のソレノイド１３５を励磁し、２サイクル目に更新されて特別遊技を継続する。
　【００６８】
　更に、この２サイクル目の特別遊技において、変動入賞装置８への入賞球数が所定数（１０個）に達するか、または所定時間（１０秒間）が経過すると、ソレノイド１３５が消磁して２サイクル目を終了した後、球が特定入賞口１３に入賞すると、同様にして３サイクル目に更新されて特別遊技が継続される。このようにして、球が特定入賞口１３に入ることを条件としてサイクルの更新が行われる。但し、最終の１６サイクル目が終了すると、特別遊技の権利が消滅して、その後で球が特定入賞口１３に入賞してもサイクルの更新は行われない。また、上述した如く、変動入賞装置８の第２状態変換中に特定入賞口１３に入賞した球は記憶されないために、更新可能なサイクル数は減ぜられる。
　【００６９】
　この様に、本実施例の遊技機１では、球が通過ゲート１１を通過することを条件として可変表示装置６が作動し、この可変表示装置６により所定の賞態様が形成されると、権利発生装置７０の補助変動入賞装置１０が第２状態に変換され、該補助変動入賞装置１０内に入賞することで分別装置９へ到達した球が、一般入賞球出口７１もしくは特別入賞球出口７２に分別され、特別入賞球出口７２に分別された特別入賞球が特別入賞球検出器１０４に作用し、これにより特別遊技の権利が発生し、この権利が発生している状態で球が特定入賞口１３に入賞することを条件に変動入賞装置８が所定期間第２状態に変換し、変動入賞装置８が第１状態に復帰してから球が特定入賞口１３に入賞することを条件としてサイクルの更新が行われて特別遊技が継続される。そして、最終のサイクルにおいて所定時間が経過、または入賞球数が所定数に達すると、この時点で特別遊技の権利が消滅して、特定の遊技状態たる特別遊技が終了する。
　【００７０】
　なお、上記した特別遊技中に、ゲート通過球検出器１２がゲート通過球を検出することに基づいて発するゲート通過球検出信号によって可変表示装置６が作動し、これにより賞態様が形成され、第２状態に変換された補助変動入賞装置１０に入賞した球が特別入賞球に分別され、該特別入賞球を検出することに基づいて特別入賞球検出器１０４より特別入賞球検出信号が出力されると、特別遊技の権利が消滅し、特別遊技はその時点で終了（所謂パンク状態）となる。
　【００７１】
　次に、上記した各種遊技装置の動作制御を行う電気的制御装置３３の遊技制御に関連した構成について図２０に基づいて説明する。この電気的制御装置３３は、通常の遊技制御および補助遊技（特別遊技へ移行するための遊技）を司る第１遊技制御手段１４０と、特定の遊技状態たる特別遊技を司る第２遊技制御手段１４１とから構成してある。
　【００７２】
　上記第１遊技制御手段１４０には、ゲート通過球検出器１２よりゲート通過球検出信号がゲート通過球検出信号線Ｌ１を介して、補助変動入賞装置用カウントスイッチ７５より補助変動入賞装置入賞信号が補助変動入賞装置入賞信号線Ｌ４を介して、可変表示確率設定スイッチ１４２より可変表示確率選択信号が可変表示確率選択信号線Ｌ５を介して、第１キー挿入検出器１４３より第１キー挿入検出信号が第１キー挿入検出信号線Ｌ６を介して、回転体位置検出器１１３より回転体位置検出信号が回転体位置検出信号線Ｌ９を介して、夫々入力されるものとしてある。
　【００７３】
　また、この第１遊技制御手段１４０からは、入賞個数記憶表示信号線Ｌ１０を介して入賞個数記憶表示指令信号が入賞個数記憶表示ランプ４５へ、変換指令信号線Ｌ１１を介して変換指令信号が可変表示装置６へ、補助変動入賞装置駆動信号線Ｌ１２を介して補助変動入賞装置駆動信号が補助変動入賞装置１０の補助変動入賞装置用ソレノイド８１へ、設定確率表示信号線Ｌ１３を介して設定確率表示信号が設定確率表示器３８へ、信号線（符号表示せず）を介してモータ駆動制御信号が分別装置９を回転駆動するためのモータへ、信号線（符号表示せず）を介して確率変動報知信号が確率変動報知手段へ、夫々出力されるものとしてある。
　【００７４】
　一方、第２遊技制御手段１４１には、特別入賞球検出器１０４より特別入賞球検出信号が特別入賞球検出信号線Ｌ１５を介して、特定入賞球検出器１４より特定入賞球検出信号が特定入賞球検出信号線Ｌ１６を介して、計数用検出器１３９より大入賞口入賞球検出信号が大入賞口入賞球検出信号線Ｌ１７を介して、夫々入力されるようにしてある。
　【００７５】
　また、上記第２遊技制御手段１４１からは、信号線（符号表示せず）を介してモータ駆動制御信号が特定入賞口１３を回転駆動するためのモータへ、音声出力信号線Ｌ１８を介して音声出力信号がスピーカ１４６へ、権利発生状態表示信号線Ｌ１９を介して権利発生状態表示信号が権利発生表示ランプ１２５へ、特定入賞口入賞数表示信号線Ｌ２０を介して特定入賞口入賞数表示信号が特定入賞口入賞数表示器６５へ、特別装置駆動信号線Ｌ２１を介して特別装置駆動信号が変動入賞装置８のソレノイド１３５へ、大入賞口入賞数表示信号線Ｌ２２を介して大入賞口入賞数表示信号が遊技機１の適所に設けた大入賞口入賞数表示装置１４７へ、夫々出力するものとしてある。
　【００７６】
　なお、第１遊技制御手段１４０と第２遊技制御手段１４１との間においても、各制御に必要な情報として信号の授受が行われる。例えば、第２遊技制御手段１４１より第１遊技制御手段１４０へ、変換指令信号線Ｌ１１′を介して変換指令信号が、補助変動入賞装置駆動信号線Ｌ１２′を介して補助変動入賞装置駆動指令信号が、当り判定信号線Ｌ２３′を介して当り判定信号が、入賞個数記憶信号線Ｌ２４′を介して入賞個数記憶信号線が夫々供給されると共に、第１遊技制御手段１４０より第２遊技制御手段１４１へ権利発生中信号線Ｌ２５′を介して権利発生中信号が供給されるものとしてある。
　【００７７】
　先ず、第１遊技制御手段１４０の具体的構成と制御の流れを図２１に基づいて説明する。
　【００７８】
　ゲート通過球検出器１２より第１遊技制御手段１４０へ入力されたゲート通過球検出信号は可変表示制御手段１４８へ供給され、該信号の入力に基づいて、可変表示制御手段１４８は可変表示装置６へ変換指令信号を出力し、可変表示制御手段１４８が出力する変換指令に応じた表示図柄が可変表示装置６に順次変換表示される。この可変表示制御手段１４８より出力される変換指令信号は補助変動入賞装置制御手段１４９へも入力されるものとしてあり、補助変動入賞装置制御手段１４９においても当該変換指令に基づく表示図柄を常時知得可能なようにしてある。そして、可変表示制御手段１４８が可変表示装置６の変換表示を停止させる際には、可変表示制御手段１４８より補助変動入賞装置制御手段１４９へ図柄停止信号線Ｌ２６を介して図柄停止信号が供給されるものとしてあり、この図柄停止信号の入力タイミングに基づいて、補助変動入賞装置制御手段１４９は可変表示装置６の停止図柄が当りか否かを判定するのである。なお、補助変動入賞装置制御手段１４９が停止図柄を“当り”と判定した場合には、当り判定信号を第２遊技制御手段１４２へ出力するものとしてある（図２１中、▲４▼）。
　【００７９】
　上記補助変動入賞装置制御手段１４９が可変表示装置６の停止図柄を判定した結果、賞態様を形成していた場合（例えば２つの停止図柄が「７」，「７」等の場合）には、補助変動入賞装置制御手段１４９が補助変動入賞装置１０の補助変動入賞装置用ソレノイド８１へ補助変動入賞装置駆動信号を出力し、補助変動入賞装置１０を遊技者にとって有利な第２状態に変換させるのである。一方、可変表示装置６の停止図柄が“外れ”と判定された場合には、そのまま通常の遊技状態に復帰する。なお、可変表示制御手段１４８より可変表示装置６へ出力される変換指令信号および補助変動入賞装置制御手段１４９より補助変動入賞装置用ソレノイド８１へ出力される補助変動入賞装置駆動信号は、夫々変換指令信号線Ｌ１１′および補助変動入賞装置駆動信号線Ｌ１２′を介して第２遊技制御手段１４１へ供給されるものとしてある（図２１中、▲１▼および▲２▼）。
　【００８０】
　また、可変表示制御手段１４８はゲート通過球検出器１２よりのゲート通過球検出信号を所定数（本実施例においては４個）まで記憶するものとしてあり、この記憶数に応じた始動記憶数表示信号を入賞個数記憶表示ランプ４５へ出力する。そして、一の始動記憶に基づく可変表示装置６の変換表示が終了（或いは、補助変動入賞装置制御手段１４９の“当り判定”に基づいて行われる補助変動入賞装置１０の変換動作が終了）した後に、始動記憶数が“０”になっていなければ（記憶数が１以上であれば）、この始動記憶に基づいて、新たに可変表示装置６の変換表示が開始されるのである。さらに、この始動記憶に基づく入賞個数記憶表示が為されている場合には、可変表示制御手段１４８より入賞個数記憶信号線Ｌ２４を介して入賞個数記憶信号が第２遊技制御手段１４１へ供給されるものとしてある（図２１中、▲３▼）。
　【００８１】
　また、補助変動入賞装置制御手段１４９による補助変動入賞装置１０の第２状態変換中は、補助変動入賞装置制御手段１４９より補助変動入賞装置動作中信号線Ｌ２７を介して補助変動入賞装置動作中信号が可変表示制御手段１４８へ供給されるものとしてあり、該信号入力中においては、新たな始動記憶に基づく補助遊技の開始が規制されるようにしてある。なお、この始動記憶は、可変表示装置６の変換表示による補助遊技が行われる毎に減数される。
　【００８２】
　ここで、本実施例においては、上記したゲート通過球検出器１２への通過入賞に基づく可変表示装置６の変換表示制御に介入等することにより、可変表示装置６の可変表示確率を外部制御可能で、かつ、上記の所謂「パンク状態」を防止することができるように構成してあり、以下にこの制御動作に関連した構成および制御内容を説明する。
　【００８３】
　管理者が可変表示確率を設定するためには、先ず設定操作部３５に設けた鍵３６ａに第１キーを挿入する。このようにするのは、可変表示確率の変更が正当な管理者でない者によって行われることを防ぐためのセキュリティー機能を付加するためで、キーの他、暗証番号操作やＩＤカード等を適宜に用いてよい。そして、適正な第１キーが用いられた場合には、第１キー挿入検出器１４３より第１キー挿入検出信号が可変表示確率設定制御手段１５０へ入力されることで可変表示確率設定制御手段１５０が能動化され、可変表示確率設定制御手段１５０が能動化されることに基づいて、可変表示確率設定スイッチ１４２よりの可変表示確率選択信号が有効に入力されるようになるのである。しかして、可変表示確率選択信号が入力された可変表示確率設定制御手段１５０は、該選択信号に応じた可変表示確率を選択し、該選択した可変表示確率を“設定確率”とする。
　【００８４】
　すなわち、可変表示確率設定スイッチ１４２、第１キー挿入検出器１４３、可変表示確率設定制御手段１５０が相互に機能することで、可変表示装置６への可変表示確率を設定するための可変表示確率設定手段を構成するのである。
　なお、可変表示確率設定制御手段１５０は当該設定確率に応じた設定確率表示信号を設定確率表示器３８へ出力することで、設定確率表示器３８に設定確率が表示され、管理者は選択した可変表示確率が適正なものか否かの確認を行うことができるのである。
　【００８５】
　上記のようにして設定された設定確率を可変表示確率設定制御手段１５０は記憶保持し、電源が切れるまで、もしくは新たな可変表示確率が設定されるまで、当該設定確率を可変表示制御手段１４８へ供給し続けるのである。
　【００８６】
　また、上記の可変表示確率は、可変表示装置６の停止図柄が特別な停止図柄（例えば「７，７」のゾロ目など）の場合には、通常の確率からさらに高い確率に変動させられる。図２１における確率変動報知手段は、可変表示制御手段１４８からの確率変動報知信号を受けて、その高確率状態を遊技者に音声手段や視覚手段により報知するとともに、管理装置へ変動状態信号を出力するものである。
　【００８７】
　本実施例においては、確率の変更制御を行うことができ、その第１の態様として、上記の特別装置の作動の有無に応じて、第３種始動口である特定入賞口１３への入賞確率を変化させ、また、第２の態様として、上記の特別装置の作動の有無に応じて、特別位置である特別入賞球出口７２への遊技球の入口となる特別入賞口である補助変動入賞装置１０への入賞確率を変化させ、さらに、第３の態様として、上記の特別装置の作動の有無に応じて、特別装置における変動入賞装置変換権利の発生確率を補助変動入賞装置への入賞確率と特別入賞球出口の通過確率との組み合せにより変更するように構成してある。以下、その具体例について説明を行う。
　【００８８】
　上記の確率の変更制御の第１の態様は後述するが、上記の確率の変更制御の第２の態様としては、特別装置が作動中であることを示す権利発生中信号（図２１中、▲５▼）を図２１の第１遊技禁止手段を介して補助変動入賞装置制御手段１４９に供給し、この補助変動入賞装置制御手段１４９により、補助変動入賞装置のソレノイド８１に制御信号を送り球誘導片７６，７６を駆動制御することにより、特別入賞口たる補助変動入賞装置１０への入賞確率を制御する。
　【００８９】
　その制御の方法の例としては、特別装置が作動していない場合は、補助変動入賞装置１０の開放時間を長く（例えば５．８秒間）設定して特定入賞口たる補助変動入賞装置１０への入賞確率を高め、特別装置の作動中には、補助変動入賞装置１０の開放時間を短く（例えば０．１秒間）設定して特定入賞口たる補助変動入賞装置１０への入賞確率を非常に低く制御する等が挙げられる。このようにすることにより、特別装置の作動中に遊技球が特別位置を含む領域を通過しいわゆる「パンク」をおこすことがなくなるので、遊技者は特別装置の作動に応じて遊技球の発射位置を変更する必要がなくなり、容易に遊技を行うことができる。
　【００９０】
　上記の確率の変更制御の第３の態様としては、特別装置が作動中であることを示す権利発生中信号（図２１中、▲５▼）を図２１の第１遊技禁止手段を介して可変表示制御手段１４８に供給し、この可変表示制御手段１４８により、可変表示装置６に制御信号を送り「当り」となる停止図柄で停止する確率を変更するように制御して、特別入賞口たる補助変動入賞装置１０への入賞確率を制御するとともに、上記の権利発生中信号（図２１中、▲５▼）を図２１の回転体停止制御手段を介して分別装置９内の回転体駆動用のモータに供給し、分別装置９の回転体を駆動制御して、特別位置への通過確率をも制御する。
　【００９１】
　確率の変更制御の第３の態様として上記のような制御方法を採用する理由を以下に説明する。特別位置を含む特別装置作動領域への遊技球の通過確率を、上記のように分別装置９の回転体の駆動制御により変化させれば、遊技者は特別装置の作動確率の変化を視認等により容易に知ることができるが、それだけでは、確率の変化幅は余り大きくできない。一方、可変表示装置６が当りの停止図柄で停止する確率を変更制御することにより特別入賞口たる補助変動入賞装置１０への入賞確率を制御する方式では、停止図柄の確率変更の有無を遊技者に報知するために何らかの報知手段等を備える必要があり遊技者にとってはその確率変化の確認は困難であるが、確率の変化幅は自由に設定可能である、という利点がある。そこで、上記の２つの確率変化方式を組み合せることにより、遊技者にとって確率変更の確認が容易で、かつ確率変動幅を自由に設定できる遊技機を提供しようとするものである。
　【００９２】
　上記の可変表示装置６の当り確率は、以下のように変更設定される。すなわち、通常時には設定１の場合１／１６０、設定２の場合１／２００、設定３の場合１／２４０に設定され、確率変動時には設定１の場合１／３２、設定２の場合１／４０、設定３の場合１／４８に設定される。
　【００９３】
　次に、分別装置９の回転体を駆動制御して、特別位置への通過確率を制御するための構成について説明する。
　【００９４】
　先ず、権利発生装置７０の分別装置９における回転体の位置情報（回転体誘導部８８ａと各入賞受口９７〜９９との相対的な位置関係）を取得するための、回転体位置検出器１１３より回転体位置検出信号が回転体位置検出手段１５６へ入力され、該回転体位置検出信号および計時手段１５７より供給される基本クロックとに基づいて、回転体位置検出手段１５６は回転体８６の位置を判定する。そして、その位置情報信号を、図２１中央部に示す回転体停止制御手段へ出力する。
　【００９５】
　一方、上記の権利発生中信号（図２１中、▲５▼）も、上記の回転体停止制御手段に送られ、回転体停止制御手段は特別装置の作動の有無を判断することができる。
　【００９６】
　まず、特別装置が作動していない状態、すなわち上記の権利発生中信号（図２１中、▲５▼）が回転体停止制御手段に出力されていない場合には、回転体停止制御手段は、分別装置９のモータに通常の回転動作（１２秒で１回転、すなわち５ＲＰＭ）をさせるように制御信号を送って制御する。
　【００９７】
　一方、特別装置が作動している状態、すなわち上記の権利発生中信号（図２１中、▲５▼）が回転体停止制御手段に出力されている場合には、回転体停止制御手段は、回転体８６の位置に応じて分別装置９のモータに異なる動作をさせるように制御信号を送って制御する。以下に、その制御の内容を説明する。
　【００９８】
　まず、回転体８６が、図１４に示すような状態にある場合、すなわち、第１一般入賞受口９７が遊技球待機部８８ａに到達する直前の状態である場合、あるいは、回転体８６が、図１５に示すような状態にある場合、すなわち、第２一般入賞受口９８が遊技球待機部８８ａに到達する直前の状態である場合には、このまま遊技球を拾えば遊技球は一般入賞球出口７１に分別されるから、この遊技球が一般入賞球出口７１に分別される確率を高めるため、この状態でそれぞれ３秒間回転を停止させる。この停止時間情報は、図２１のタイマ手段から供給される。
　【００９９】
　しかし、回転体８６が、図１３に示すような状態にある場合、すなわち、特別入賞受口９９が遊技球待機部８８ａに到達する直前の状態である場合、このまま遊技球を拾うと遊技球は特別入賞球出口７２に分別され、いわゆるパンクを起こしてしまうが、停止等すると、その（パンクする）確率がさらに高まってしまうので、このまま可及的速やかに回転体８６の回転を続行させ、パンクの確率をなるべく低減するようにモータを制御する。このようにに構成することにより、特別装置の非作動中は１２秒間で１回転している回転体８６において、特別入賞球出口７２に入賞する確率は１／３であるのに対し、特別装置の作動中は、上記の停止時間６秒間が加わるから１８秒間で１回転することになり、特別装置作動中に特別入賞球出口７２に入賞する確率（パンクする確率でもある）は、１／６に低下し、いわゆるパンクの発生確率を低減させることができる。
　【０１００】
　上記実施例では、特別位置たる特別入賞球出口７２を含む特別装置作動領域への入賞確率を変更するため、回転体８６を一時停止させているが、これは、特定の入賞口に対する入賞率を他の入賞口に対して変化させるように回転体８６の回転速度を変化させたり、回転体８６に設けられた複数の入賞口のうちのいくつかを機械的機構により閉塞させるなどして入賞させないようにし、確率を変更させてもよい。また、上記の実施例では、回転体８６内の入賞態様は２態様（特別入賞球出口７２あるいは一般入賞球出口７１の２つ）であるが、これは、３態様以上設けて、１つを上記の一般入賞球出口７１と同様に「ハズレ」とし、他の１つを「当り（特別装置作動領域）」とし、残りの１つを特別装置の作動に基づき「ハズレ」と「当り」とに切り変えるように構成してもよい。この切換方式としては、機械的に球の流路を切り変える方式や入賞検出器を「有効」と「無効」とに切り変える方式等が挙げられる。
　【０１０１】
　次に、上記した可変表示制御手段１４８の一具体例を図２２に基づき説明する。
　【０１０２】
　ゲート通過球検出器１２よりのゲート通過球検出信号は、通過検出記憶手段１６１へ入力され、該通過入賞に基づく始動記憶値に“１”を加算する。該始動記憶値がセットされることにより、通過検出記憶手段１６１は、表示制御手段１６２へ入賞個数記憶信号を出力すると共に、動作タイミング制御手段１６３へ変換動作指令信号線Ｌ３６を介して変換動作指令信号を出力する。斯くして、表示制御手段１６２より入賞個数記憶表示ランプ４５へ入賞個数記憶表示信号が出力されて、通過ゲート１１への通過入賞個数が記憶表示されると共に、動作タイミング制御手段１６３より変換指令信号線Ｌ３７を介して変換指令信号が表示可変制御手段１６４へ出力される。なお、通過検出記憶手段１６１より出力される入賞個数記憶信号は入賞個数記憶信号線Ｌ２４′を介して第２遊技制御手段１４２へも供給されるものとしてある（図２２中、▲３▼）。
　【０１０３】
　なお、ゲート通過球検出器１２より入力されるゲート通過球検出信号に基づく入賞個数記憶のうち、可変表示装置６の変換動作に使用されているものは記憶として表示せず、可変表示装置６の変換動作中に入力された検出信号分のみを入賞個数記憶として表示させるようにしても良い。例えば、通過検出記憶手段１６１より表示制御手段１６２に入力された入賞個数記憶が「１」であった場合には、入賞個数記憶表示を“０”と看做して入賞個数記憶表示ランプ４５を点灯させず、入賞個数記憶が「２」であった場合には、入賞個数記憶表示ランプ４５に記憶数“１”の表示を行わせるように、予め表示制御手段１６２を構成しておいたり、最先に入力されたゲート通過球検出信号に基づいて変換動作指令信号を出力した場合には、当該検出信号を通過検出記憶手段１６１が入賞個数として記憶させないものとし、その後に入力された検出信号を入賞個数記憶として保持するように構成しても良い。
　【０１０４】
　上記通過検出記憶手段１６１より変換動作指令信号を受けた動作タイミング制御手段１６３は、上記表示可変制御手段１６４へ変換指令信号を出力すると共に、タイマ手段１６５へ計時開始指令信号を出力し、この計時開始指令信号の入力に基づいてタイマ手段１６５は、予め設定された所定時間（例えば５．５秒）の計時を開始するのである。
　【０１０５】
　また、上記動作タイミング制御手段１６３より変換指令信号が入力された表示可変制御手段１６４は、表示更新パルス発生手段１６６より更新パルスが入力される毎に表示図柄を生成し、該表示図柄に応じた表示図柄信号を表示制御手段１６７へ表示図柄信号線Ｌ３９を介して供給し、この入力された表示図柄信号に応じた変換指令信号を表示制御手段１６７が可変表示装置１１へ出力することで、表示図柄の変換動作が行われるのである。なお、表示制御手段１６７より出力される変換指令信号は、補助変動入賞装置制御手段１４９へも供給され、可変表示装置６に表示されている表示図柄を補助変動入賞装置制御手段１４９において知得可能なようにしてある。
　【０１０６】
　上記の如く、可変表示装置６の変換表示が開始された後に、タイマ手段１６５が所定時間を計時すると、該タイマ手段１６５よりタイムアップ信号線Ｌ４０を介して動作タイミング制御手段１６３へタイムアップ信号が出力され、タイムアップ信号の入力に伴って動作タイミング制御手段１６３は停止タイミング信号を出力する。この停止タイミング信号は、可変表示制御手段１４８内の乱数抽出手段及び表示図柄置換手段１７８へ供給されるものとしてある。
　【０１０７】
　上記乱数抽出手段には、図２２中央部に示すように、乱数生成手段が接続されており、常時乱数を生成している。乱数抽出手段は、生成された乱数を抽出し、乱数判定手段に出力する。乱数判定手段は、図２５に示すような構成を有しており、入力側に設けられた３つのアンド回路及び３つのナンド回路と、この３つのナンド回路の内の第１のナンド回路の出力側に設けられる第１当り判定乱数値記憶手段と、この３つのアンド回路の内の第１のアンド回路の出力側に設けられる第２当り判定乱数値記憶手段と、この３つのナンド回路の内の第２のナンド回路の出力側に設けられる第３当り判定乱数値記憶手段と、この３つのアンド回路の内の第２のアンド回路の出力側に設けられる第４当り判定乱数値記憶手段と、この３つのナンド回路の内の第３のナンド回路の出力側に設けられる第５当り判定乱数値記憶手段と、この３つのアンド回路の内の第３のアンド回路の出力側に設けられる第６当り判定乱数値記憶手段と、上記各当り判定乱数値記憶手段の出力側に設けられる抽出乱数比較判定手段と、この抽出乱数比較判定手段の出力側に設けられる強制ハズレ判定制御手段とを備えている。
　【０１０８】
　そして、上記の各アンド回路の２つの入力端のうちの一方、及びナンド回路の２つの入力端のうちの正転入力端には、可変表示確率設定制御手段１５０からの制御信号が供給され、上記の各アンド回路の２つの入力端のうちの他方、及びナンド回路の２つの入力端のうちの反転入力端には、確率変動制御手段からの制御信号が供給される。確率変動制御手段には、▲５▼の権利発生中信号と、乱数判定手段から出力信号と、特定停止図柄判定手段からの出力信号が供給される。
　【０１０９】
　そして、該図柄停止信号を受けた表示図柄置換手段１７８は、停止図柄選択手段１７７より供給されている停止図柄信号に応じた停止図柄とするために、停止図柄置換信号を停止図柄置換信号線Ｌ４５を介して表示制御手段１６７へ出力し、表示制御手段１６７より可変表示装置６へ出力される変換指令信号の内容（表示図柄）を、表示可変制御手段１６４より供給されている図柄信号に優先させて、停止図柄選択手段１７７の選択した停止図柄に置き換えさせ、可変表示装置６に停止図柄選択手段１７７により選択された停止図柄が表示されるようにするのである。
　【０１１０】
　また、動作タイミング制御手段１６３は表示可変制御手段１６４への変換指令信号出力を停止し、該表示可変制御手段１６４より表示制御手段１６７へ表示図柄信号が供給されなくなる。したがって、表示制御手段１６７から可変表示装置６へは、停止図柄選択手段１７７が選択した停止図柄が継続して表示されることとなる。なお、停止タイミング信号の出力と合わせて、動作タイミング制御手段１６３は通過検出記憶手段１６１へ減数信号線Ｌ４６を介して減数信号を出力するものとしてあり、該信号の入力によって、通過検出記憶手段１６１の入賞個数記憶から“１”減ぜられる。
　【０１１１】
　上記したような流れで、通過ゲート１２に遊技球が通過入賞することに基づいて可変表示装置６を変換させる別遊技が進行し、当該遊技が終了した後においても、通過検出記憶手段１６１に入賞記憶が存した場合には、当該入賞記憶に基づく別遊技が同様にして再開されるのである。なお、図２２に示す可変表示制御手段１４８のブロック図においては説明を簡略化するために、便宜上、単一の可変表示器の変換制御および停止制御のみを示したが、可変表示装置６を第１可変表示器７ａと第２可変表示器７ｂとから構成してある場合には、両可変表示器７ａ，７ｂの停止タイミングを適宜に遅延させることが好ましいので、これらを考慮した構成に置き換えれば良い。例えば、第１可変表示器７ａと第２可変表示器７ｂとの停止時間差を見越した上で、上記第１〜第３状態になるよりも若干早く図柄停止指令信号を出力するようにしたり、第１可変表示器７ａが停止した時点で改めて第２可変表示器７ｂ停止用の停止タイミング抽出指令を発するように構成することで対処できる。
　【０１１２】
　上記のようにして、可変表示制御手段１４８による可変表示装置６の変換表示制御が行われた後に、可変表示装置６の表示図柄に応じて補助変動入賞装置１０を第２状態に変換する動作制御を行う補助変動入賞装置制御手段１４９は、可変表示制御手段１４８より供給される変換指令信号と、図柄停止信号とに基づいて、可変表示装置６における停止図柄を判定する。
　【０１１３】
　上記可変表示制御手段１４８よりの変換指令信号および図柄停止信号は補助変動入賞装置制御手段１４９内の停止図柄判定手段１８０（図２３）へ供給され、該停止図柄判定手段１８０は図柄停止信号が入力（信号レベルが“Ｌ”）された時点における表示図柄と、予め定められた賞態様の図柄とを比較判定し、賞態様に該当した場合にのみ、当り判定信号を当り判定信号線Ｌ２３を介して、補助変動入賞装置制御手段１４９内の駆動制御手段１８１、タイマ手段１８２、入賞球計数手段１８３へ夫々供給する。なお、この信号は第２遊技制御手段１４１へも供給されるものとしてある（図２３中、▲４▼）。
　【０１１４】
　先ず、駆動制御手段１８１は当り判定信号が入力されることに伴って、補助変動入賞装置１０の補助変動入賞装置用ソレノイド８１へ補助変動入賞装置駆動信号を出力し、補助変動入賞装置１０を遊技者にとって有利な第２状態に変換させる。また、駆動制御手段１８１はこの補助変動入賞装置１０の変換動作を行っている間には、補助変動入賞装置動作中信号を可変表示制御手段１４８へ出力するものとしてあり、上記したように、該信号が可変表示制御手段１４８のゲート通過制御手段１３８へ入力されている間は、ゲート通過球検出信号の入力に基づく可変表示装置６の可変表示動作が規制されるのである。
　【０１１５】
　一方、当り判定信号の入力に伴って、タイマ手段１８２は予め定められた所定時間（例えば１．５秒）の計時を開始し、入賞球計数手段１８３は補助変動入賞装置用カウントスイッチ７５よりの補助変動入賞装置入賞信号を計数する。そして、タイマ手段１８２は所定時間が経過することに伴って、タイムアップ信号を駆動制御手段１８１へタイムアップ信号線Ｌ４７を介して出力し、入賞球計数手段１８３は予め定められた所定数の補助変動入賞装置入賞球数を計数することに伴って、所定入賞球計数信号を駆動制御手段１８１へ所定入賞球計数信号線Ｌ４８を介して出力する。
　【０１１６】
　なお、本実施例においては、入賞球計数手段１８３が計数する所定数を「１」に設定し、上記した権利発生装置７０の分別装置９による特別入賞球の発生確率を調整し易くしてある。すなわち、分別装置９が第１状態の時に補助変動入賞装置１０に入賞した球のみを特別入賞球として、第２，第３状態中に入賞した球を一般入賞球として、夫々略々確実に処理することが可能となり、権利発生率の調整制御をより適切に行うことができるのである。
　【０１１７】
　上記の如くして、補助変動入賞装置１０の開放終了条件が満たされる（本実施例においては、タイマ手段１８２よりのタイムアップ信号もしくは入賞球計数手段１８３よりの所定入賞球計数信号のうち、何れか最先の信号が入力される）と、駆動制御手段１８１は補助変動入賞装置用ソレノイド８１への補助変動入賞装置駆動信号出力を停止し、補助変動入賞装置１０を遊技者にとって不利な第１状態に再変換させる。また、駆動制御手段１８１は、補助変動入賞装置用ソレノイド８１への補助変動入賞装置駆動信号出力を停止すると同時に、可変表示制御手段１４８への補助変動入賞装置動作中信号出力も停止し、可変表示制御手段１４８による可変表示装置６の可変表示が可能な状態に復帰する。
　【０１１８】
　次に、可変表示装置６の可変表示確率を設定制御する可変表示確率設定制御手段１５０について、図２４に基づき説明する。
　先ず、この可変表示確率設定制御手段１５０を能動化するために、第１キーを用いて第１キー挿入検出器１４３より第１キー挿入検出信号を出力させる。この信号が可変表示確率選択手段および設定確率表示制御手段へ入力されることに伴って、これらが能動化され、設定が可能な状態となるのである。
　【０１１９】
　可変表示確率選択手段が能動化されると、可変表示確率設定スイッチ１４２よりの可変表示確率選択信号を有効に受け入れ得る状態となり、管理者が可変表示確率設定スイッチ１４２を選択操作することによって、可変表示確率設定スイッチ１４２より可変表示確率選択手段へ可変表示確率選択信号が入力される。そして、可変表示確率選択手段は、該選択信号に応じた可変表示確率を、予め可変表示確率設定制御手段１５０内に設けてある可変表示確率１，可変表示確率２，可変表示確率３の何れかを選択して、該可変表示確率を設定確表示制御手段及び可変表示制御手段１４８へ供給する。
　【０１２０】
　設定確率表示制御手段は、この選択された可変表示確率に応じた数値等を設定確率表示器３８によって可視表示させるべく、設定確率表示信号を設定可変表示確率表示器３８へ出力する。上記のようにして設定した可変表示確率が適正な値であると確認し、管理者が第１キーを引き抜くと、第１キー挿入検出器１４３よりの第１キー挿入検出信号が入力されなくなることによって、可変表示確率選択手段、設定確率表示制御手段は再び非能動化され、当該設定確率に固定される。また、設定確率が固定されることに伴って、設定確率表示器３８の表示が消されるものとし、この設定操作を行った管理者以外の者に設定確率の内容を知られることを防止できるのである。
　【０１２１】
　なお、このようにして設定された設定確率は、当該遊技機１の電源が断たれた後も、新たな可変表示確率が選択されるまで、有効な設定可変表示確率として記憶保持させるように、バックアップ機能等を付加しても良い。また、本実施例においては、予め可変表示確率設定制御手段１５０内に設定してある可変表示確率の中から設定可変表示確率を選択するものとしたが、任意の可変表示確率を外部から（可変表示確率設定スイッチ１４２や当該遊技店の管理装置等から）入力することで、設定できるように構成しても良い。
　【０１２２】
　なお、本実施例における回転体位置検出片１１４は、回転体８６に対して図２６及び図２７に示すように取り付けてあり、第２一般入賞受口９７が遊技球待機部８８ａを通過した後に、回転体位置検出片１１４が回転体位置検出器１１３に検出されるように構成してある（図２６参照）。斯くすることによって、回転体位置検出片１１４が回転体位置検出信号を出力した後に、可変表示装置６の第１，第２可変表示器７ａ，７ｂに賞態様が形成されることに基づく補助変動入賞装置１０の第２状態変換変換動作が行われ、該補助変動入賞装置１０より遊技球流入口９３を介して分別装置９へ入賞球が到達した際には、分別装置９は第１状態となっており、当該入賞球を特別入賞球受部９９に受け入れるのである（図２７参照）。
　【０１２３】
　次に、変動入賞装置８などを上記したように作動して特別遊技を制御する第２遊技制御手段１４１について図２８に基づき説明する。
　【０１２４】
　権利発生装置７０の特別入賞球検出器１０４よりの特別入賞球検出信号は、信号入力許可手段を介して、特別装置たる変動入賞装置８の作動を促すための特別装置作動指令として特別装置作動制御手段２０１に入力される。そして、該特別入賞球検出信号を受信した特別装置作動制御手段２０１は、効果音発生手段２０２に権利発生中信号を送信する。これに応じて、効果音発生手段２０２は音声出力信号を発し、スピーカ１４６から特別遊技の権利が発生した旨の効果音を発生させる。また、第１表示制御手段２０３はランプ等からなる権利発生表示ランプ１２５へ権利発生状態表示信号を出力し、該権利発生表示ランプ１２５によって特別遊技の権利が発生したことを遊技者に知らせる。
　【０１２５】
　さらに、この権利発生中信号は、上記の信号入力許可手段にフィードバックされるほか、後述する特定入賞制御手段２０４、特定入賞球計数手段２０５にも供給されるものとしてあり、特定入賞制御手段２０４、特定入賞球計数手段２０５を夫々能動化する。また、この権利発生中信号は第１遊技制御手段１４０の第１遊技禁止手段にも供給するものとしてある（図２８中、▲５▼）。
　【０１２６】
　そして、この権利発生中信号は、この第２遊技制御手段１４１の回転速度制御手段にも供給され、特別装置の作動の有無に応じて、第３種始動口である特定入賞口１３の回転体１１８の駆動モータの回転が制御される。これが、上述した本実施例の確率変更制御の第１の態様であるが、以下に、その制御の内容を説明する。
　【０１２７】
　まず、通常の状態、すなわち、特別装置が作動していない状態では、回転体１１８のモータは、１分間に１回（すなわち、１ＲＰＭ）の規定周期で回転するように遊技制御手段としての電気的制御装置３３（具体的には、第２遊技制御手段１４１の回転速度制御手段）から制御を受けている。しかし、特別装置が作動すると、図２８の回転速度制御手段は、権利発生中信号▲５▼により特別権利状態の発生を検知し、回転体１１８のモータに対し、上記の１ＲＰＭよりは早いが、大入賞口の開放時間（特別権利状態中に第１状態から第２状態に変換された変動入賞装置８が再び第１状態に変換される最長時間である１０秒）よりは若干長い時間（例えば、１２秒間等）で１回転する特別周期となるように制御を行う。
　【０１２８】
　上記のように構成することにより、第３種始動口である特定入賞口１３が、遊技盤面に対し変動入賞装置６の始動口１１と同じ側、すなわち遊技盤の左側に配設されていても、通常時（特別装置非作動時）には、特定入賞口の回転体１１８の回転速度が遅い（例えば１ＲＰＭ）ので、たとえ、特定入賞口１３に入賞し易いような釘調整がなされていたとしても、入賞する数は最大でも１分間に１個であり、単位時間当りの入賞数は少ない。したがって、遊技者が特定入賞口を狙い打ちしても入賞数は限られ、遊技店側としても入賞し易い釘調整を行うことができる。
　【０１２９】
　一方、特別装置の作動中は、第３種始動口である特定入賞口１３の回転体１１８の回転速度は、上記の１ＲＰＭよりは早いが、大入賞口の開放時間よりは若干長い時間（例えば、１２秒間等）で１回転（すなわち５ＲＰＭ）するように制御されるので、大入賞口の開放中に第３種始動口１３に遊技球が入賞して大入賞口の開放回数が減ることがなく、大入賞口開放中に第３種始動口１３の回転体１１８上に貯留された遊技球は大入賞口の作動終了後すぐに次の大入賞口開放を行わせることができる。したがって、変動入賞装置６の始動口１１と第３種始動口１３とを遊技盤の同一の側（例えば、遊技盤の左側）に設けても、遊技者は、遊技球の発射位置を変更することなく遊技が可能となる。
　【０１３０】
　この第２遊技制御手段１４１の他の部分の構成や動作を以下に説明する。
　特定入賞口１３へ打球が入賞して、特定入賞球検出器１４が打球を検出すると、特定入賞球検出信号を特定入賞制御手段２０４に送信する。この特定入賞球検出信号を受信した特定入賞制御手段２０４は、特定入賞個数計数信号を特定入賞個数計数信号線Ｌ５２を介して特定入賞球計数手段２０５へ送信し、この特定入賞個数計数信号を受信した特定入賞球計数手段２０５は、特定入賞口１３への入賞個数を計数して、入賞個数が１６個となると、権利終了信号（特定遊技状態の終了を意味する信号）を権利終了信号線Ｌ５３を介して特別装置作動制御手段２０１へ出力し、該特別装置作動制御手段２０１をリセットする。
　【０１３１】
　また、上記した特定入賞制御手段２０４は特定入賞球検出器１４より、信号入力許可手段を介して特定入賞球検出信号を受けることに基づいて、大入賞口作動開始信号を大入賞口作動開始信号線Ｌ５４を介して変動入賞装置駆動制御手段２０６へ供給し、該大入賞口作動開始信号が入力されることに伴って変動入賞装置駆動制御手段２０６は、変動入賞装置８のソレノイド１３５に特別装置駆動信号を出力して、変動入賞装置駆動制御手段２０６に内蔵されたタイマ２０７で定めた一定時間、或いは後述する入賞数計数手段２０８から大入賞口作動終了信号線Ｌ５５を介して大入賞口作動終了信号を受信するまで、変動入賞装置８を遊技者にとって不利な第１状態から有利な第２状態に変換する。
　また、変動入賞装置駆動制御手段２０６からの駆動制御信号は、信号線Ｌ２１から分岐して上記の信号入力許可手段にもフィードバックされる。このように構成されることにより、特定入賞球検出器１４により特定入賞球が検出された場合であっても、既にその直前に変動入賞装置駆動制御手段２０６から信号線Ｌ２１を介して大入賞口の開放駆動信号が出力されている場合には、その駆動信号は、上記の信号入力許可手段にフィードバックされる。
　【０１３２】
　なお、この特別装置駆動信号は入賞数計数手段２０８及び特定入賞制御手段２０４へも供給されるものとしてあり、該信号の入力に伴って入賞数計数手段２０８が能動化されると共に、特定入賞制御手段２０４は当該特別装置駆動信号の入力中においては、新たな特定入賞球検出信号の入力に基づく大入賞口作動開始信号の出力が規制されるのである。さらに、この特別装置駆動信号は、効果音発生手段２０２にも送信され（図２８中、▲６▼）、該効果音発生手段２０２よりスピーカ１４６へ適宜な音声出力信号が発されることで、変動入賞装置８が作動中であることを遊技者に認識させる。
　【０１３３】
　また、この効果音発生手段２０２は、上記第１遊技制御手段１４０の可変表示制御手段１４８より変換指令信号線Ｌ１１′（図２８中▲１▼）および入賞個数記憶信号線Ｌ２４′（図２８中▲３▼）を介して供給される変換指令信号および入賞個数記憶信号、補助変動入賞装置制御手段１４９より補助変動入賞装置駆動信号線Ｌ１２′（図２８中▲２▼）および当り判定信号線Ｌ２３′（図２８中▲４▼）を介して夫々供給される補助変動入賞装置駆動信号および当り判定信号に応じた適宜な音声を出力させるものとしてある。また、この効果音発生手段２０２には、上記図２２に示す確率変動制御手段からの高確率状態を示す高確率化信号が信号線（図２８中▲７▼）を介して供給され、この高確率化状態に応じた適宜な音声を出力させるものとしてある。
　【０１３４】
　一方、特別装置作動制御手段２０１よりの特定入賞個数計数信号を受けて能動化された特定入賞数計数手段２０５は、特定入賞数信号線Ｌ５６を介して特定入賞数信号を第２表示制御手段２０９へ出力し、該特定入賞数信号を受けた第２表示制御手段２０９が７セグメント式可変表示器よりなる特定入賞口入賞数表示器６５へ特定入賞口入賞数表示信号を出力する。斯くして、当該権利発生時における特定入賞口１３への入賞個数（特定入賞口入賞数）が、特定入賞口入賞数表示器６５に可視表示されるのである。
　【０１３５】
　また、入賞数計数手段２０８は、上記したように大入賞口作動中信号により能動化され、能動化状態において、変動入賞装置８に打球が入賞することに基づいて計数用検出器１３９から発される大入賞口入賞球検出信号を計数することにより、タイマ２０７の駆動制御に基づいて第２状態に変換された変動入賞装置８への全入賞球数を計数する。そして、その計数値たるカウント信号をカウント信号線Ｌ５７を介して第３表示制御手段２１０へ出力し、該第３表示制御手段２１０が大入賞口入賞数表示装置１４７へ大入賞口入賞数表示信号を出力することで、変動入賞装置８への入賞個数を大入賞口入賞数表示装置１４７に表示させるのである。また、上記したように入賞数計数手段２０８において一定数、例えば入賞球が１０個に達する毎に変動入賞装置駆動制御手段２０６に大入賞口作動終了信号を送信し、変動入賞装置８を第２状態に変換して行う特別遊技の１サイクルを終了させる。
　【０１３６】
　なお、本発明において、可変表示装置６の確率を設定したり基準可変表示確率を設定するための設定操作部３５は、前記した実施例に限定されるものではない。例えば、可変表示確率を権利発生率との組み合わせを予め設定しておき、この組み合わせを選択モードとし、これらのモードから適宜な選択を行うようにすれば、可変表示確率と権利発生率との設定を一括して行うことが可能となる。また、遊技店における各種遊技機１…を総括的に管理する管理装置からこれらの設定を行えるようにしても良い。
　【０１３７】
　また、上記実施例においては、遊技球の分別が回転体８６により行われるように構成される例について説明したが、これは他の種類の構造を有していてもかまわない。そして、上記実施例では、特定入賞球検出器１４は、特定入賞口１３に設けられているが、これは、通過ゲート１１に設けてもかまわない。
　【０１３８】
　【発明の効果】
　以上説明したように、請求項１に係る本発明によれば、特別権利状態でない間は、遊技制御手段の制御によって特定入賞手段における遊技球受入機構の遊技球受入周期が予め定めた規定周期となり、特別権利状態中は、遊技制御手段の制御によって遊技球受入機構の遊技球受入周期が特別周期（規定周期よりも短く且つ特別権利状態中に第１状態から第２状態に変換された変動入賞装置が再び第１状態に変換される最長時間よりも長い周期）となるので、特別権利状態中における特定入賞口への球入賞は変動入賞装置が第１状態へ復帰するまで実質的に不可能となって、特別権利状態における変動入賞装置の第２状態変換回数が減ぜられることを防ぐことができ、特別権利状態における遊技者の獲得利益をある程度補償できるようになると共に、特別権利状態中における変動入賞装置の第２状態変換のタイミングが著しく間延びして遊技者の遊技意欲を減退させたり、無駄打ちによって獲得利益が失われることを効果的に防止できる。
　特に、分別装置に設けられた特別入賞球出口から排出された特別入賞球を特別入賞球検出器が検出することによって、特別権利状態発生条件が達成されることに基づき、前記分別装置が回転体の位置に応じて異なる回転動作をする特別権利状態を発生させるので、特別遊技の権利が消滅し、特別遊技はその時点で終了する（所謂パンク状態）の発生確率を低減させることができ、特別権利状態における遊技者の獲得利益をある程度補償できるようになる。
　しかも、特別権利状態で無い間における特定入賞手段の遊技球受入周期である規定周期は特別権利状態中における特別周期よりも長いので、特別権利状態に比べて特定入賞口への球入賞の発生タイミングは長くなることから、特別権利状態でない間に特定入賞口への球入賞によって遊技者の獲得する利益が著しく増大することを防げる。従って、特別権利状態を発生させるために遊技球を打ち込む領域と離隔させて特定入賞口を配置する必要が無くなるので、特別権利状態の発生中か否かに拘わらず、同じ領域に遊技球を打ち込んだままで遊技を進められるような盤面構成の遊技機とすることができる。
【図面の簡単な説明】
　【図１】
　本発明の一実施例である遊技機の全体構成を示す正面図である。
　【図２】
　図１に示す遊技機における打球発射装置の概略を示す正面図である。
　【図３】
　図１に示す遊技機の背面図である。
　【図４】
　図１に示す遊技部の概略正面図である。
　【図５】
　図１に示す遊技盤の背面図である。
　【図６】
　図１に示す可変表示装置の斜視図である。
　【図７】
　図１に示す可変表示装置の分解斜視図である。
　【図８】
　図１に示す可変表示装置の正面図である。
　【図９】
　図１に示す権利発生装置の斜視図である。
　【図１０】
　図１に示す権利発生装置の分解斜視図である。
　【図１１】
　権利発生装置の補助変動入賞装置から分別装置へ至る遊技球の流路の説明図である。
　【図１２】
　権利発生装置の分別装置の回転体から各入賞球出口へ至る遊技球の流路の説明図である。
　【図１３】
　分別装置が第１状態の場合における権利発生装置の正面図である。
　【図１４】
　分別装置が第２状態の場合における権利発生装置の正面図である。
　【図１５】
　分別装置が第３状態の場合における権利発生装置の正面図である。
　【図１６】
　図１に示す特定入賞装置の斜視図である。
　【図１７】
　図１に示す特定入賞装置の分解斜視図である。
　【図１８】
　図１に示す変動入賞装置の一部欠截斜視図である。
　【図１９】
　図１に示す変動入賞装置の分解斜視図である。
　【図２０】
　電気的制御装置の概略ブロック図である。
　【図２１】
　電気的制御装置における第１遊技制御手段の概略ブロック図である。
　【図２２】
　可変表示制御手段の概略ブロック図である。
　【図２３】
　補助変動入賞装置制御手段の概略ブロック図である。
　【図２４】
　可変表示確率設定制御手段の概略ブロック図である。
　【図２５】
　乱数判定手段の概略ブロック図である。
　【図２６】
　回転体位置検出器が回転体位置検出片を検出する直前における権利発生装置の正面図である。
　【図２７】
　回転体位置検出器が回転体位置検出片を検出した直後における権利発生装置の正面図である。
　【図２８】
　第２遊技制御手段の概略ブロック図である。
　【符号の説明】
　　　１　遊技機
　　　３　遊技盤
　　　５　遊技部
　　　６　可変表示装置
　　　８　変動入賞装置
　　　９　分別装置
　　１０　補助変動入賞装置
　　１１　通過ゲート
　　１２　ゲート通過球検出器
　　１３　特定入賞口
　　１４　特定入賞球検出器
　　７１　一般入賞球出口
　　７２　特別入賞球出口
　　７５　補助変動入賞装置用カウントスイッチ
　１０４　特別入賞球検出器
　１４９　補助変動入賞装置制御手段
　１５０　可変表示確率設定制御手段
　２０４　特定入賞制御手段
　２０６　変動入賞装置駆動制御手段